(57)【要約】  活性成分のマイクロカプセルを含有するテキスタイル材料の処理方法、この方法から得られる繊維および／またはテキスタイル材料、ならびにこれらの美容的もしくは薬学的使用および／またはこれらの防虫剤としての使用。【選択図】図１
2013527328.tif 000002
【特許請求の範囲】
【請求項１】
繊維および／またはテキスタイル材料の処理方法において、以下のステップ：
ａ）２つの親水コロイドを、これらが溶解できる溶媒中に溶解させ、少なくとも１つの活性成分を添加して、この溶液中の前記活性成分の懸濁液を形成するステップと、
ｂ）ｐＨを調整し、そして／あるいは前記懸濁液を希釈して、前記コロイドのコアセルベーションを引き起こし、カプセル化される前記活性成分上に沈着させるステップと、
ｃ）前記懸濁液のｐＨを上昇させ、架橋剤を添加して、形成されたマイクロカプセルを硬化させるステップと、
ｄ）前記マイクロカプセルをカチオン性ポリマーまたはモノマーによりカチオン化するステップと、
ｅ）前記マイクロカプセルを繊維および／またはテキスタイル材料に連結または結合させるステップと、
ｆ）前記繊維および／またはテキスタイル材料を乾燥させるステップと、
を含むことを特徴とする方法。
【請求項２】
請求項１に記載の方法において、前記ステップｂ）と前記ステップｃ）との間に、前記マイクロカプセルを冷却するステップをさらに含むことを特徴とする方法。
【請求項３】
請求項１または２に記載の方法において、前記親水コロイドが、タンパク質、多糖類、ポリエステル、ポリシアノアクリレートおよび／またはこれらの混合物によって形成される群から選択されることを特徴とする方法。
【請求項４】
請求項３に記載の方法において、前記タンパク質および多糖類が、ゼラチン、アルブミン、β−ラクトグロブリン、乳清タンパク質、エンドウ豆タンパク質、ジャガイモタンパク質、ソラマメタンパク質、小麦タンパク質、ウシ血清アルブミン、ポリ−Ｌ−リジン、大豆タンパク質、カゼイン塩、カゼイン、大豆グリシン、アルギン酸ナトリウム、小麦デンプン、コーンスターチ、メチルセルロース、エチルセルロース、ヒドロキシプロピルメチルセルロース、硝酸セルロース、カルボキシメチルセルロース、アラビアゴム、キサンタンゴム、メスキートゴム、グァーガム、カラギナン、トラガカントゴム、アラビノガラクタン、ガラクトマンナン、ヘキサメタリン酸ナトリウム、エキソポリサッカライドＢ４０、カルボキシメチルナトリウム、ペクチン、メトキシルペクチン、寒天、デキストラン、キトサン、酢酸酪酸セルロース、酢酸フタル酸セルロース、アクリル誘導体およびポリエステル、例えば、ポリ−ε−カプロラクトン、ゼイン、フタル酸ヒドロキシプロピルメチルセルロース、酢酸コハク酸ヒドロキシプロピルメチルセルロース、ポリ酢酸フタル酸ビニル、ポリ（ｐ−ジオキサノン）、ポリ（β−バレロラクトン）、ポリ（β−ヒドロキシブチレート）、ポリ（β−ヒドロキシブチレート）およびβ−ヒドロキシバレレートコポリマー、ポリ（β−ヒドロキシプロピオネート）、メチルアクリル酸コポリマー、ジメチルアミノエチルメタクリレートコポリマー、トリメチルアンモニウムエチルメタクリレートコポリマー、乳酸およびグリコール酸のポリマーおよびコポリマー、乳酸およびグリコール酸およびポリエチレングリコールのポリマーおよびコポリマー、ならびにこれらの混合物によって形成される群から選択されることを特徴とする方法。
【請求項５】
請求項１または２に記載の方法において、前記ステップｂ）で、ｐＨが３〜５．５の間のｐＨに調整されることを特徴とする方法。
【請求項６】
請求項１または２に記載の方法において、前記ステップｃ）で、ｐＨが６．５〜１３の間のｐＨまで上昇されることを特徴とする方法。
【請求項７】
請求項１または２に記載の方法において、前記架橋剤が、アルデヒド、グルタルアルデヒド、ホルムアルデヒド、トランスグルタミナーゼ、メチレンビスアクリルアミドの誘導体、Ｎ，Ｎ−メチレンビスアクリルアミド、Ｎ，Ｎ−（１，２−ジヒドロキシエチレン）ビスアクリルアミド、エチレングリコールジメタクリレートの誘導体、エチレングリコールジアクリレート、ジエチレングリコールジアクリレート、テトラエチレングリコールジアクリレート、エチレングリコールジメタクリレート、ジエチレングリコールジメタクリレート、トリエチレングリコールジメタクリレート、トリポリリン酸ナトリウム、Ｎ−ヒドロキシスクシンアミドエステルおよび／またはイミドエステルによって形成される群から選択されることを特徴とする方法。
【請求項８】
請求項１または２に記載の方法において、前記カチオン性ポリマーが、カチオン性セルロース誘導体、４級化ヒドロキシエチルセルロース、カチオンデンプン、ジアリルアンモニウムおよびアクリルアミド塩コポリマー、４級化ビニルピロリドン／ビニルイミダゾールポリマー、ポリグリコールおよびアミンの縮合生成物、ポリクオタニウムポリマーおよびコポリマー、Ｍｅｒｑｕａｔと呼ばれるポリクオタニウム−６、ポリクオタニウム−７、ポリクオタニウム−１６、ポリクオタニウム−１０のポリマー、ポリクオタニウム−４コポリマー、ジココイルエチルヒドロキシエチルアンモニウム、セルロース骨格および第４級アンモニウム基を有するグラフトコポリマー、４級化コラーゲンポリペプチド、ヒドロキシプロピルラウリルジモニウム加水分解コラーゲン、４級化小麦ポリペプチド、ポリエチレンイミン、カチオン性シリコーンポリマー、アミドメチコンまたはシリコーンクオタニウム−２２、アジピン酸およびジメチルアミノヒドロキシプロピルジエチレントリアミンコポリマー、塩化ジメチルジアリルアンモニウムを有するアクリル酸コポリマー、カチオン性キチン誘導体、カチオン性ジハロゲンアルキレンの縮合生成物、ジブロモブタンとビスジアルキルアミンの縮合生成物、ビス−ジメチルアミノ−１，３−プロパン、カチオン性グァーガムの誘導体、グァー−ヒドロキシプロピルトリモニウム、第４級アンモニウム塩ポリマー、アザロース（ａｚａｒｏｓｅ）などの天然誘導体の４級化多糖ポリマー、カチオン性ゼラチンタンパク質、カチオン性アラビアゴムタンパク質、カチオン性ポリアミドポリマー、カチオン性ポリシアノアクリレートポリマー、カチオン性ポリ乳酸ポリマー、カチオン性ポリグリコリドポリマー、カチオン性ポリアニリンポリマー、カチオン性ポリピロールポリマー、カチオン性ポリビニルピロリドンポリマー、アミノシリコーンポリマーおよびコポリマーのカチオン性ポリマー、カチオン性ポリスチレンポリマー、カチオン性ポリビニルアルコールポリマー、カチオン性ポリスチレンおよび無水マレイン酸コポリマー、カチオン性メチルビニルエーテルポリマー、カチオン性エポキシ樹脂ポリマー、スチレンおよびメチルメタクリレートコポリマーのカチオン性ポリマー、ジメチルアミノメタクリレート、カチオン性ポリアクリレートおよびポリメタクリレート、場合により誘導体ポリエチレングリコールメンバーによって置換され得るポリアミン誘導体、カチオン性であるｐＨ条件におけるポリアミノ酸、ポリエチレンイミン、ポリビニルピロリドンおよび親水性ウレタンポリマーの４級化誘導体、ならびに前記カチオン基の任意の混合物によって形成される群から選択されることを特徴とする方法。
【請求項９】
請求項１または２に記載の方法において、前記連結または結合させるステップが、吸尽槽、または、フーラード処理、または噴霧によって行われることを特徴とする方法。
【請求項１０】
請求項１または２に記載の方法において、前記乾燥させるステップが、１００℃よりも高い温度で少なくとも２分間行われることを特徴とする方法。
【請求項１１】
請求項１または２に記載の方法において、前記活性成分が、活性成分、ならびに／または化粧および／もしくは皮膚医薬補助剤、ならびに防虫剤によって形成される群から選択されることを特徴とする方法。
【請求項１２】
請求項１１に記載の方法において、前記活性成分、ならびに／または化粧および／もしくは皮膚医薬補助剤が、界面活性剤、湿潤剤または水分保持物質、保湿剤または皮膚軟化剤、治癒刺激剤、コアジュバント治癒剤、再上皮化刺激剤、コアジュバント再上皮化剤、真皮または上皮の巨大分子を合成する薬剤、固化および／または再緻密化および／または再構築剤、サイトカイン成長因子、毛細血管循環および／または微小循環に作用する薬剤、抗糖化剤、フリーラジカルスカベンジャーおよび／または抗大気汚染剤、反応性カルボニル種スカベンジャー、５α−レダクターゼ阻害剤、リジル−および／またはプロリルヒドロキシラーゼ阻害剤、デフェンシン合成刺激剤、殺菌剤および／または静菌剤および／または抗菌剤および／または殺病原菌剤および／または殺真菌剤および／または静真菌剤および／または病原菌阻害剤、抗ウイルス剤、抗寄生虫剤、抗ヒスタミン剤、ＮＯシンターゼ阻害剤、落屑剤または角質溶解剤および／または剥脱剤、面皰溶解剤、抗乾癬剤、フケ防止剤、抗炎症剤および／または鎮痛剤、麻酔剤、しわ防止および／または老化防止剤、化粧デオドラントおよび／または吸収剤および／または体臭マスキングデオドラント、制汗剤、芳香物質および／または香油および／または単離芳香族化合物、抗酸化剤、血管透過性の阻害剤、加水分解性上皮酵素、美白または皮膚脱色剤、汗分解酵素の阻害剤、紫外線をフィルタリング可能な薬剤、ケラチノサイトの分化を刺激または制御する薬剤、抗掻痒剤、メラニンの合成を刺激または阻害する薬剤、着色促進剤、セルフタンニング剤、メラノサイトの増殖を刺激する薬剤、液体噴射剤、ビタミン、アミノ酸、タンパク質、バイオポリマー、ゲル化ポリマー、皮膚弛緩剤、目の下のくまを低減または処置可能な薬剤、敏感肌の処置および／または手入れのための薬剤、収斂剤、皮脂生成の制御剤、抗ストレッチマーク剤、脂肪分解剤または脂肪分解の刺激剤、静脈強壮剤、抗セルライト剤、鎮静剤、細胞代謝に作用する薬剤、真皮−上皮接合部の改善剤、発毛誘発剤または脱毛遅延剤、体毛成長の阻害または遅延剤、熱ショックタンパク質合成刺激剤、筋弛緩剤、筋収縮阻害剤、アセチルコリン受容体の凝集阻害剤、抗コリン剤、エラスターゼ阻害剤、基質メタロプロテイナーゼ阻害剤、キレート剤、野菜抽出物、精油、海洋抽出物、鉱物塩、細胞抽出物、乳化剤、脂質および角質層成分の合成刺激剤、バイオ発酵プロセスから得られる薬剤および／またはこれらの混合物によって形成される群から選択されることを特徴とする方法。
【請求項１３】
請求項１または２に記載の方法において、前記ステップａ）で、前記活性成分が油中水エマルジョン中に乳化され、懸濁されることを特徴とする方法。
【請求項１４】
請求項１３に記載の方法において、前記油中水エマルジョンが、固体脂質ナノ粒子またはナノ構造脂質担体中に含有されることを特徴とする方法。
【請求項１５】
請求項１乃至１５の何れか１項に記載の方法に従って得られることを特徴とする繊維および／またはテキスタイル材料。
【請求項１６】
皮膚、毛髪および／または頭皮の処置および／または手入れのための、請求項１５に記載の繊維および／またはテキスタイル材料の使用。
【発明の詳細な説明】
【技術分野】
【０００１】
本発明は、活性成分のカプセル化およびテキスタイル材料の処理の分野において見出される。特に、本発明は、テキスタイル材料の処理方法、およびその美容的もしくは薬学的使用またはその防虫剤としての使用に関する。
【背景技術】
【０００２】
従来技術には、マイクロカプセル中に化粧および／または医薬活性成分をカプセル化するための様々な技術がある。カプセル化技術は、１μｍ〜１ｍｍの間のサイズの粒子を得るために、化粧品、薬学または食品などの様々な分野において有用な活性成分の、様々な性質のポリマー形態のコーティングからなる［Ｅ．Ｇ．ＪａｌｏｎＤｅ，Ｍ．Ｊ．Ｂｌａｎｃｏ−Ｐｒｉｅｔｏ，Ｐ．Ｙｇａｒｔｕａ，ａｎｄ  Ｓ．Ｓａｎｔｏｙｏ．Ｅｕｒ．Ｊ．Ｐｈａｒｍ．Ｂｉｏｐｈａｒｍ．５６：１８３−１８７（２００３）、Ｍ．Ａ．Ａｕｇｕｓｔｉｎ  ａｎｄ  Ｙ．Ｈｅｍａｒ．Ｃｈｅｍ．Ｓｏｃ．Ｒｅｖ．，２００９，３８，９０２−９１２、Ｓｏｆｉａ  Ｎ．Ｒｏｄｒｉｇｕｅｓ，Ｉｓａｂｅｌ  Ｆｅｒｎａｎｄｅｓ，Ｉｓａｂｅｌ  Ｍ．Ｍａｒｔｉｎｓ，Ｖｅｒａ  Ｇ．Ｍａｔａ，Ｆｉｌｏｍｅｎａ  Ｂａｒｒｅｉｒｏ，ａｎｄ  Ａｌｉｒｉｏ  Ｅ．Ｒｏｄｒｉｇｕｅｓ．Ｉｎｄ．Ｅｎｇ．Ｃｈｅｍ．Ｒｅｓ．２００８，４７（１２），４１４２−４１４７、Ｓｔｅｐｈａｎ  Ｄｒｕｓｃｈ  ａｎｄ  Ｓａｖｅｒｉｏ  Ｍａｎｎｉｎｏ．Ｔｒｅｎｄｓ  ｉｎ  Ｆｏｏｄ  Ｓｃｉｅｎｃｅ  ＆  Ｔｅｃｈｎｏｌｏｇｙ  ２００９，２０，２３７−２４４］。マイクロカプセルは比較的単純な形態構造を有し、１つまたはいくつかの活性成分を含有する核と、核を包囲し、従って活性成分を外部から保護する高分子コーティングとの、２つの明確に区別される要素によって構成される［Ｗ．Ｓｌｉｗｋａ．Ａｎｇｅｗ．Ｃｈｅｍ．Ｉｎｔｅｒｎａｔ．Ｅｄｉｔ．１４，５３９（１９７５）］。
【０００３】
活性成分のカプセル化プロセスの中で、最も一般的なものの１つは、コアセルベーションプロセス（単純または複合コアセルベーションであり得る）によるカプセル化である。コアセルベーションは、少なくとも１つの活性成分をその内部にカプセル化するコアセルベート粒子沈着プロセスによる、コロイド系におけるポリマーの不溶化に基づく。溶解度の低下、そしてその結果、コアセルベートの沈着を誘発するメカニズムの中には、温度の変化、ｐＨの変更、ポリマーの非溶媒、塩または不適合性ポリマーの添加がある。最初に、カプセル化すべき活性成分は、コーティングを形成するポリマー（単数または複数）の溶液中に、液体または固体形態で分散される。その後、上記メカニズムのうちの１つによって、ポリマー（単数または複数）のコアセルベートの形成が誘発された後、これが活性成分上に沈着する。ポリマーの連続的な沈着は、高分子コアセルベートの合体の間の表面積の低下のために系の自由エネルギーが低下することによってもたらされ、その結果、カプセル化された活性成分の周りに連続的なコーティングが形成される。次に、架橋として知られるプロセスにおいて、架橋剤を添加し、そして場合により系を冷却することによって、コアセルベートの高分子コーティングの硬化が行われる。最後に、遠心分離またはろ過によるマイクロカプセルの分離が行われる。上述したように、コアセルベーションには単純および複合の２つのタイプがある。単純コアセルベーションは、通常非常に親水性の物質である系に、ポリマーの非溶媒が添加される場合に起こり、２相の分離が生じて、コアセルベートが形成される。この手順の例は、ＥＳ２００９３４６号明細書、欧州特許出願公開第０５２５１０Ａ１号明細書、および欧州特許出願公開第０３４６８７９Ａ１号明細書などの文書に記載されている。複合コアセルベーションは、反対の電荷を有する２つのコロイド物質が相互作用する場合に達成され、別々のコロイドよりも低い溶解度を有し、カプセル化すべき活性成分上に沈着して活性成分を単離する膜を形成する複合体が生成される。この手順の例は、国際公開第０２／０９２２１７号パンフレット、国際公開第２００５／１０５２９０号パンフレット、欧州特許出願公開第１２６１４２１Ａ１号明細書および欧州特許出願公開第１８７３７０７４Ａ１号明細書などの文書に記載されている。２つのコロイド物質間の静電相互作用はｐＨ範囲によって実行される（コロイド物質の一方はその酸性カチオン形態であり、他方のコロイド物質はその塩基性アニオン形態である）ので、複合コアセルベーションはｐＨに大きく依存する。
【０００４】
近年大きな関心を引き起こしているマイクロカプセル化用途の１つは、繊維およびテキスタイル材料の外観、光沢、色、匂いおよび弾性を改善するため、あるいは繊維またはテキスタイル材料に、皮膚、頭皮および／または毛髪の処置および／または手入れなどの機能性を新たに提供するための、繊維およびテキスタイル材料の処理である。マイクロカプセル化は、繊維またはテキスタイル材料中の活性成分の永続性を延長することができ、圧力、熱、摩擦、浸透性または体の水分によるマイクロカプセルの分解によって皮膚、頭皮および／または毛髪にゆっくりと放出されるので、カプセル化された活性成分を繊維またはテキスタイル材料に結合するために使用されることが多い解決法である。従って、皮膚、頭皮および／または毛髪への活性成分の連続的な放出は、テキスタイル材料を通して達成される。
【０００５】
従来技術では、繊維またはテキスタイル材料に対するマイクロカプセルの結合または連結には様々なタイプがあり、例えば、結合タイプの１つは、共有結合による繊維またはテキスタイル材料に対するマイクロカプセルの結合からなる［Ｗ．Ｃｈａｏ−Ｘｉａ  ａｎｄ  Ｃ．Ｓｈｕｉ−Ｌｉｎ，Ｃｏｌｏｒａｔｉｏｎ  Ｔｅｃｈｎｏｌｏｇｙ  ２００４，１２０，１４−１８］。典型的な実施形態では、マイクロカプセルコーティングはシクロデキストリンによって形成され、好ましくは、カプセル化活性成分は香料または臭気捕捉剤である。マイクロカプセルが共有結合で結合または連結されるという事実によって、マイクロカプセルは、繊維またはテキスタイル材料上に留まり、カプセル化すべき活性成分のマイクロカプセルを再装填することができる。このタイプの結合によって示される主要な問題は、共有結合の形成が繊維の化学構造の修飾を伴い、テキスタイル材料の分解および破壊をもたらし得ることである。
【０００６】
繊維またはテキスタイル材料に対するマイクロカプセルの結合または連結の別のタイプは、繊維に固定できる活性成分を含有するマイクロカプセルが既に存在している溶液中における繊維の製造からなる［Ｑｉ，Ｐｉｎｇ  Ｈｕ，Ｊｕｎ  Ｘｕ，ａｎｄ  Ｗａｎｇ  Ｂｉｏｍａｃｒｏｍｏｌｅｃｕｌｅｓ，２００６，７（８），２３２７−２３３０］。これは、皮膚を通り抜けてはならない防虫剤などの活性成分だけに限定される結合または連結のタイプであり、従って、美容的および／または薬学的に使用される活性成分はどれも除外される。
【０００７】
繊維またはテキスタイル材料に対するマイクロカプセルの結合または連結の最後のタイプは、マイクロカプセルと繊維との間のイオン結合によるものである［Ｐ．Ｍｏｎｌｌｏｒ，Ｌ．Ｓａｎｃｈｅｚ，Ｆ．Ｃａｓｅｓ  ａｎｄ  Ｍ．Ａ．Ｂｏｎｅｔ，Ｔｅｘｔｉｌｅ  Ｒｅｓｅａｒｃｈ  Ｊｏｕｒｎａｌ  ２００９，７９，３６５−３８０］。結合は、テキスタイル材料の繊維の負電荷と、予めカチオン化されたマイクロカプセルとの間の静電相互作用によって引き起こされる。上記のタイプを上回るこのタイプの結合または連結の主要な利点は、このタイプの結合または連結が１つのタイプの活性成分に限定されないこと、そして、繊維またはテキスタイル材料に対するこのタイプの結合が、共有結合の場合のようにテキスタイル材料の機械特性に害を及ぼすことがないことである。さらに、そしてまたテキスタイル材料に対する上記のタイプのマイクロカプセル（活性成分を含有する）の結合とは違って、最終消費者が、マイクロカプセル化された活性成分をテキスタイル材料に自分で再装填する可能性が存在する。
【０００８】
しかしながら、活性成分を含有する繊維またはテキスタイル材料に関して生じる問題の１つは、活性成分を含有するマイクロカプセルの両方の耐洗浄性（ｗａｓｈｐｒｏｏｆｎｅｓｓ）が低いことと、テキスタイル材料の洗浄剤の界面活性剤と接触される場合にマイクロカプセル中の活性成分の永続性が低いことである。テキスタイル材料中のほこり粒子を溶解するために使用される洗浄剤の界面活性剤は、テキスタイル材料に結合または連結されたマイクロカプセルにも浸透することができ、テキスタイル材料から引き離すことによって、カプセル化された活性成分の溶解も引き起こす。同様に、低耐洗浄性もマイクロカプセルの溶解を引き起こし、その結果、洗浄中に活性成分が皮膚、頭皮および／または毛髪に移ることなく、活性成分が失われる。繊維またはテキスタイル材料に結合したマイクロカプセルの低耐洗浄性およびマイクロカプセル中の活性成分の永続性はいずれも、繊維またはテキスタイル材料に対するマイクロカプセルの結合または連結プロセスと、マイクロカプセルの調製プロセスとに深い関連がある。
【０００９】
しかしながら、当該技術分野において既知の上記の繊維またはテキスタイル材料に対するマイクロカプセルの結合のタイプはどれも、許容できる回数の洗浄に対して、カプセル化活性成分がテキスタイル材料中に留まるようにすることができない。従って、従来技術では、上記の問題を解決するテキスタイル材料の処理方法が必要とされている。
【００１０】
特開昭５０−２００８４号公報には、染料を含有するマイクロカプセルを布に結合するための方法が記載されている。上記文書に記載されるマイクロカプセルはコアセルベーションプロセスによって調製され、ｐＨ４．５においてコアセルベートが形成されたらすぐに、ｐＨ９においてコアセルベートの架橋が行われる。しかしながら、この文書では、架橋ステップにおけるｐＨの上昇によってテキスタイル材料に結合されたマイクロカプセルが得られ、その中に含有される活性成分が特定回数の洗浄に耐えられるということは示されていない。さらに、この文書において形成されるマイクロカプセルのサイズ（直径１００〜３００μｍ）は、テキスタイル材料に対するマイクロカプセルの結合を大きく妨害し、テキスタイル材料全体にわたるマイクロカプセルの規則的な分布と、テキスタイル材料中のマイクロカプセルの良好な永続性とを得ることも妨害する。一方、このマイクロカプセルのサイズの増大は、テキスタイル材料の洗浄剤の界面活性剤がマイクロカプセル内に入り、活性成分を可溶化し、テキスタイル材料から引き離すことを回避しない。
【００１１】
同様に、米国特許第２８００４５７号明細書の文書には、マイクロカプセルの複合コアセルベーションプロセスが記載されており、場合により、形成されたマイクロカプセルの架橋の前にｐＨが上昇される。しかしながら、この文書では、このプロセスによって形成されるマイクロカプセルが繊維またはテキスタイル材料に結合可能であることは考慮されておらず、得られたテキスタイル材料中のマイクロカプセルが１００℃よりも高い温度で乾燥された後でもテキスタイル材料に結合し得ることは言及されていない。
【００１２】
意外にも、本発明の発明者らは、繊維および／またはテキスタイル材料に結合した少なくとも１つの活性成分を含有するテキスタイル材料の処理方法を見出しており、本方法では、マイクロカプセルのコアセルベートが形成されたらすぐ、そしてその架橋の前にｐＨを上昇させることにより、少なくとも１つの活性成分を含有する繊維および／またはテキスタイル材料を得ることができ、活性成分は許容できる回数の洗浄に対して、繊維および／またはテキスタイル材料中に留まる。
【００１３】
本発明は、上記の問題を解決する、繊維および／またはテキスタイル材料の処理方法に関する。
【図面の簡単な説明】
【００１４】
【図１】図１は、実施例４のマイクロカプセルがフーラード処理の適用により結合された実施例６の処理ポリアミド布の走査電子顕微鏡法による写真を示す。パートａ）は未処理のポリアミドであり、パートｂ）は０回洗浄後のポリアミドであり、パートｃ）は５回洗浄後のポリアミドである。
【発明を実施するための形態】
【００１５】
第１の態様によると、本発明は、少なくとも１つの活性成分を含有する繊維および／またはテキスタイル材料の処理方法を説明し、本方法は、以下のステップ：
ａ）２つの親水コロイドを、これらが溶解できる溶媒中に溶解させ、少なくとも１つの活性成分を添加して、この溶液中の活性成分の懸濁液を形成するステップと、
ｂ）ｐＨを調整し、そして／あるいは上記の懸濁液を希釈して、コロイドのコアセルベーションを引き起こし、このようにしてカプセル化される活性成分上に沈着させるステップと、
ｃ）懸濁液のｐＨを上昇させ、架橋剤を添加して、形成されたマイクロカプセルを硬化させるステップと、
ｄ）マイクロカプセルをポリマーまたはカチオン性モノマーによりカチオン化するステップと、
ｅ）マイクロカプセルを繊維および／またはテキスタイル材料に連結または結合させるステップと、
ｆ）繊維および／またはテキスタイル材料を乾燥させるステップと、
を含む。
【００１６】
ステップの順序は、連続してａ）、ｂ）、ｃ）、ｄ）、ｅ）およびｆ）である。場合により、ステップｂ）とステップｃ）との間に、ステップｂ）で得られるマイクロカプセルを冷却する中間ステップが存在してもよい。この繊維および／またはテキスタイル材料の処理方法は、マイクロカプセルのサイズが小さいために、繊維および／またはテキスタイル材料の表面全体にわたってマイクロカプセルの規則的な分布が得られることを可能にする。さらに、このマイクロカプセルの小さいサイズは、マイクロカプセルの繊維および／またはテキスタイル材料中へのより大きい浸透性ももたらし、これは、洗浄後のより大きい永続性につながる。一方、親水コロイドによって形成されるマイクロカプセルの高分子コーティングは極めて強固かつ緻密であり、これにより、マイクロカプセルは繊維および／またはテキスタイル材料の乾燥後に安定化される。
【００１７】
本発明との関連では、繊維および／またはテキスタイル材料の処理は、化粧品、医薬品または防虫剤などの機能特性を有する繊維および／またはテキスタイル材料が得られることを可能にする。
【００１８】
特定の実施形態では、２つの親水コロイドは、タンパク質、多糖類、ポリエステル、ポリアクリレート、ポリシアノアクリレート、ポリエチレングリコール、コポリマーおよび／またはこれらの混合物によって形成される群から制限なしに選択される。好ましくは、タンパク質および多糖類は、例えば、ゼラチン、アルブミン、β−ラクトグロブリン、乳清タンパク質、エンドウ豆タンパク質、ジャガイモタンパク質、ソラマメタンパク質、小麦タンパク質、ウシ血清アルブミン、ポリ−Ｌ−リジン、大豆タンパク質、カゼイン塩、カゼイン、大豆グリシン、アルギン酸ナトリウム、小麦デンプン、コーンスターチ、メチルセルロース、エチルセルロース、ヒドロキシプロピルメチルセルロース（ＨＰＭＣ）、硝酸セルロース、カルボキシメチルセルロース、アラビアゴム、キサンタンゴム、メスキートゴム、グァーガム、カラギナン、トラガカントゴム、アラビノガラクタン、ガラクトマンナン、ヘキサメタリン酸ナトリウム、エキソポリサッカライドＢ４０、カルボキシメチルナトリウム、ペクチン、メトキシルペクチン、寒天、デキストラン、キトサン、酢酸酪酸セルロース、酢酸フタル酸セルロース、アクリル誘導体およびポリエステル、例えば、ポリ−ε−カプロラクトン、ゼイン、フタル酸ヒドロキシプロピルメチルセルロース、酢酸コハク酸ヒドロキシプロピルメチルセルロース、ポリ酢酸フタル酸ビニル、ポリ（ｐ−ジオキサノン）、ポリ（δ−バレロラクトン）、ポリ（β−ヒドロキシブチレート）、ポリ（β−ヒドロキシブチレート）およびβ−ヒドロキシバレレートコポリマー、ポリ（β−ヒドロキシプロピオネート）、メチルアクリル酸コポリマー（Ｅｕｄｒａｇｉｔ（登録商標）ＬおよびＳ）、ジメチルアミノエチルメタクリレートコポリマー（Ｅｕｄｒａｇｉｔ（登録商標）Ｅ）、トリメチルアンモニウムエチルメタクリレートコポリマー（Ｅｕｄｒａｇｉｔ（登録商標）ＲＬおよびＲＳ）、乳酸およびグリコール酸のポリマーおよびコポリマー、乳酸およびグリコール酸およびポリエチレングリコールのポリマーおよびコポリマー、ならびにこれらの混合物によって形成される群から選択されるが、これらに限定されない。
【００１９】
別の特定の実施形態では、親水性コロイド溶媒は水または水溶液である。
【００２０】
別の特定の実施形態では、本発明の方法のステップａ）は、好ましくは４０℃よりも高い温度、より好ましくは５０℃よりも高い温度で実行される。
【００２１】
別の特定の実施形態では、本発明の方法の段階ｂ）におけるｐＨの調整はコアセルベートを形成するために使用されるコロイドの組み合わせに依存するが、好ましくは、３〜５．５の間、より好ましくは４〜５の間の酸性ｐＨである。
【００２２】
別の特定の実施形態では、ステップｂ）とステップｃ）との間でマイクロカプセルが冷却される温度は３０℃よりも低く、好ましくは１０℃以下である。
【００２３】
別の特定の実施形態では、本発明の方法のステップｃ）におけるｐＨの上昇は、６．５〜１３の間のｐＨ、好ましくは７〜１０の間のｐＨである。
【００２４】
別の特定の実施形態では、本発明の方法のステップｃ）の架橋剤は、例えば、アルデヒド（例えば、グルタルアルデヒドまたはホルムアルデヒドなど）、トランスグルタミナーゼ、メチレンビスアクリルアミドの誘導体、Ｎ，Ｎ−メチレンビスアクリルアミド、Ｎ，Ｎ−（１，２−ジヒドロキシエチレン）ビスアクリルアミド、エチレングリコールジメタクリレートの誘導体、エチレングリコールジアクリレート、ジエチレングリコールジアクリレート、テトラエチレングリコールジアクリレート、エチレングリコールジメタクリレート、ジエチレングリコールジメタクリレート、トリエチレングリコールジメタクリレート、トリポリリン酸ナトリウム、Ｎ−ヒドロキシスクシンアミドエステルおよび／またはイミドエステルによって形成される群から選択されるが、これらに限定されない。
【００２５】
別の特定の実施形態では、架橋ステップｃ）の後のマイクロカプセルのサイズは、３０μｍ未満、好ましくは１０μｍ未満である。
【００２６】
別の特定の実施形態では、本発明の方法のステップｄ）においてマイクロカプセルをカチオン化するために使用されるカチオン性ポリマーは、例えば、カチオン性のセルロース誘導体（Ａｍｅｒｃｈｏｌによる名称Ｐｏｌｙｍｅｒ  ＪＲ４００（商標）で獲得され得る４級化ヒドロキシエチルセルロースなど）；カチオンデンプン；ジアリルアンモニウムおよびアクリルアミド塩コポリマー；４級化ビニルピロリドン／ビニルイミダゾールポリマー（Ｌｕｖｉｑｕａｔ（商標）（ＢＡＳＦ）など）；ポリグリコールおよびアミンの縮合生成物；ポリクオタニウムポリマーおよびコポリマー；Ｍｅｒｑｕａｔと呼ばれるポリクオタニウム−６、ポリクオタニウム−７、ポリクオタニウム−１６、ポリクオタニウム−１０のポリマー；ポリクオタニウム−４コポリマー；ジココイルエチルヒドロキシエチルアンモニウム、セルロース骨格および第４級アンモニウム基を有するグラフトコポリマー；４級化コラーゲンポリペプチド（ヒドロキシプロピルラウリルジモニウム加水分解コラーゲン（ＧｒｕｅｎａｕによるＬａｍｅｑｕａｔ（商標））など）；４級化小麦ポリペプチド；ポリエチレンイミン；カチオン性シリコーンポリマー（アミドメチコンまたはクオタニウム−２２シリコーンなど）；アジピン酸およびジメチルアミノヒドロキシプロピルジエチレントリアミンコポリマー（ＳａｎｄｏｚによるＣａｒｔａｒｅｔｉｎｅ（商標））；塩化ジメチルジアリルアンモニウムを有するアクリル酸コポリマー（ＣｈｅｍｖｉｒｏｎによるＭｅｒｑｕａｔ（商標）５５０）；カチオン性キチン誘導体（キトサンおよびその誘導体など）；カチオン性ジハロゲンアルキレンの縮合生成物（ジブロモブタンとビスジアルキルアミンの縮合生成物など）；ビス−ジメチルアミノ−１，３−プロパン；カチオン性グァーガムの誘導体（グァー−ヒドロキシプロピルトリモニウム、ＣｅｌａｎｅｓｅによるＪａｇｕａｒ（商標）ＣＢＳ、Ｊａｇｕａｒ（商標）Ｃ−１７、Ｊａｇｕａｒ（商標）Ｃ−１６など）；第４級アンモニウム塩ポリマー（ＭｉｒａｎｏｌによるＭｉｒａｐｏｌ（商標）Ａ−１５、Ｍｉｒａｐｏｌ（商標）ＡＤ−１、Ｍｉｒａｐｏｌ（商標）ＡＺ−１など）；アザロース（ａｚａｒｏｓｅ）などの天然誘導体の４級化多糖ポリマー；ゼラチン、アラビアゴムから選択されるカチオン性タンパク質；ポリアミド、ポリシアノアクリレート、ポリ乳酸、ポリグリコリド、ポリアニリン、ポリピロール、ポリビニルピロリドン、アミノシリコーンポリマーおよびコポリマー、ポリスチレン、ポリビニルアルコール、ポリスチレンおよび無水マレイン酸コポリマー、メチルビニルエーテル、エポキシ樹脂、ならびにスチレンおよびメチルメタクリレートコポリマーによって形成される群からのカチオン性ポリマー；ジメチルアミノメタクリレート、カチオン性ポリアクリレートおよびポリメタクリレート（ＲｏｅｈｍによるＥｕｄｒａｇｉｔ（商標）ＲＬ３０Ｄなど）；場合により誘導体ポリエチレングリコールメンバーによって置換され得るポリアミン誘導体；カチオン性であるｐＨ条件におけるポリアミノ酸；ポリエチレンイミン；ポリビニルピロリドン（ＰＶＰ）および親水性ウレタンポリマーの４級化誘導体、ならびに上記カチオ���基の任意の混合物によって形成される群から選択されるが、これらに限定されない。
【００２７】
別の特定の実施形態では、本発明の方法のステップｄ）においてマイクロカプセルをカチオン化するために使用されるカチオン性ポリマーは、例えば、ジココイルエチルヒドロキシエチルモニウムメトサルフェート、塩化セトリモニウム、ジステアロイルエチルヒドロキシエチルモニウムメトサルフェート、ジパルミトイルエチルヒドロキシエチルモニウムメトサルフェート、塩化ババスアミドプロパルコニウム、塩化アセトアミドプロピルトリモニウム、トシル酸セトリモニウム、オレアミドプロピルヒドロキシスルタイン、クオタニウム−２２、クオタニウム−９１、ジラウレス−４塩化ジモニウム、塩化ジステアリルジモニウム、ＰＥＧ−５水素化獣脂アミン、塩化トリメチルシリルプロピル大豆ジモニウム、ミノキシジル、カプリロイルグリシン、ヒドロキシプロピルトリモニウム加水分解コーンスターチ、システイン塩酸塩（ｃｈｌｏｒｈｙｄｒａｔｅ）、ビオチン、カルニチン、セラミド２、セラミド１、セラミド６、アラニン、コカミドエチルベタイン、シスチン、ココジモニウムヒドロキシプロピル加水分解米タンパク質、ＤＥＡ−イソステアレート、ＤＥＡ−ラウラミノプロピオネート、ラウリミノ二酢酸二ナトリウムによって形成される群から選択されるが、これらに限定されない。
【００２８】
別の特定の実施形態では、本発明の方法のステップｅ）における繊維および／またはテキスタイル材料に対するマイクロカプセルの連結または結合は、吸尽（ｅｘｈａｕｓｔｉｏｎ）槽によって、フーラード処理（ｆｏｕｌａｒｄ）によって、あるいは噴霧によって行われる。本発明との関連では、「結合」および「連結」という用語は区別せずに使用される。
【００２９】
別の特定の実施形態では、本発明の方法の繊維および／またはテキスタイル材料の乾燥は、１００℃よりも高い温度、好ましくは１２０℃以上の温度で少なくとも２分間行われる。
【００３０】
本発明の方法は、洗浄後の繊維および／またはテキスタイル材料中の活性成分の損失の問題を解決する。繊維および／またはテキスタイル材料の許容できる回数の洗浄に対する活性成分の永続性は、１０回の洗浄後に５％よりも多い、より好ましくは１０回の洗浄後に１０％よりも多い活性成分が繊維および／またはテキスタイル材料中に存在することを意味する。繊維および／またはテキスタイル材料の洗浄は、標準ＩＳＯ１０５Ｃ０６Ａ１Ｓに従って手作業により、あるいは標準ＵＮＥ−ＥＮ６３３０：２００１に従って機械によって行われる。
【００３１】
本発明の方法は、テキスタイル材料の繊維に、その製造の前または後に適用することができ、テキスタイル材料への結合がテキスタイル材料の繊維への結合を意味することは理解されるべきである。テキスタイル繊維は天然でも合成でもよく、例えば、とりわけ、羊毛、綿、絹、ナイロン、セルロース、ポリアミドまたはポリエステルによって形成される群から選択されるが、これらに限定されない。本発明において、テキスタイル材料は、織布、不織布、衣類および医療デバイスであると理解される。織布、不織布、衣類および医療デバイスの例は、文献において見出すことができ、従来技術において知られている（“Ｉｍｐｒｅｇｎａｔｉｎｇ  Ｆａｂｒｉｃｓ  Ｗｉｔｈ  Ｍｉｃｒｏｃａｐｓｕｌｅｓ”，ＨＡＰＰＩ  Ｍａｙ  １９８６、Ｉｎｔ．Ｊ．Ｐｈａｒｍ．２００２，２４２，５５−６２、“Ｂｉｏｆｕｎｃｔｉｏｎａｌ  Ｔｅｘｔｉｌｅｓ  ａｎｄ  ｔｈｅ  Ｓｋｉｎ”Ｃｕｒｒ．Ｐｒｏｂｌ．Ｄｅｒｍａｔｏｌ．２００６  ｖ．３、Ｊ．Ｃｏｎｔ．Ｒｅｌｅａｓｅ  ２００４，９７，３１３−３２０）。テキスタイル材料の中で、好ましい織布、不織布、衣類および医療デバイスは、包帯、ガーゼ、Ｔシャツ、ソックス、タイツ、下着、ガードル、手袋、おむつ、サニタリーナプキン、包帯材、ベッドカバー、ワイプ、ヒドロゲル、接着パッチ、非接着パッチ、マイクロエレクトリックパッチおよび／またはフェイスマスクである。
【００３２】
別の特定の実施形態では、活性成分は、活性成分、ならびに／または化粧および／もしくは皮膚医薬補助剤、ならびに防虫剤によって形成される群から選択される。特に、活性成分、ならびに／または化粧および／もしくは皮膚医薬補助剤は、例えば、界面活性剤、湿潤剤または水分保持物質、保湿剤または皮膚軟化剤、治癒刺激剤、コアジュバント（ｃｏａｄｊｕｖａｎｔ）治癒剤、再上皮化刺激剤、コアジュバント再上皮化剤、真皮または上皮の巨大分子を合成する薬剤、固化（ｆｉｒｍｉｎｇ）および／または再緻密化（ｒｅｄｅｎｓｉｆｙｉｎｇ）および／または再構築剤、サイトカイン成長因子、毛細血管循環および／または微小循環に作用する薬剤、抗糖化剤、フリーラジカルスカベンジャーおよび／または抗大気汚染剤、反応性カルボニル種スカベンジャー、５α−レダクターゼ阻害剤、リジル−および／またはプロリルヒドロキシラーゼ阻害剤、デフェンシン合成刺激剤、殺菌剤（ｂａｃｔｅｒｉｃｉｄａｌ  ａｇｅｎｔ）および／または静菌剤および／または抗菌剤および／または殺病原菌剤（ｇｅｒｍｉｃｉｄａｌ  ａｇｅｎｔ）および／または殺真菌剤および／または静真菌剤および／または病原菌阻害剤、抗ウイルス剤、抗寄生虫剤、抗ヒスタミン剤、ＮＯシンターゼ阻害剤、落屑剤または角質溶解剤および／または剥脱剤、面皰溶解剤、抗乾癬剤、フケ防止剤、抗炎症剤および／または鎮痛剤、麻酔剤、しわ防止および／または老化防止剤、化粧デオドラントおよび／または吸収剤および／または体臭マスキングデオドラント、制汗剤、芳香物質および／または香油および／または単離芳香族化合物、抗酸化剤、血管透過性の阻害剤、加水分解性上皮酵素、美白または皮膚脱色剤、汗分解（ｓｗｅａｔ−ｄｅｇｒａｄｉｎｇ）酵素の阻害剤、紫外線をフィルタリング可能な薬剤、ケラチノサイトの分化を刺激または制御する薬剤、抗掻痒剤、メラニンの合成を刺激または阻害する薬剤、着色促進剤（ｐｒｏｐｉｇｍｅｎｔｉｎｇ  ａｇｅｎｔ）、セルフタンニング剤、メラノサイトの増殖を刺激する薬剤、液体噴射剤、ビタミン、アミノ酸、タンパク質、バイオポリマー、ゲル化ポリマー、皮膚弛緩剤、目の下のくまを低減または処置可能な薬剤、敏感肌の処置および／または手入れのための薬剤、収斂剤、皮脂生成の制御剤、抗ストレッチマーク剤、脂肪分解剤または脂肪分解の刺激剤、静脈強壮剤（ｖｅｎｏｔｏｎｉｃ  ａｇｅｎｔ）、抗セルライト剤、鎮静剤、細胞代謝に作用する薬剤、真皮−上皮接合部の改善剤、発毛誘発剤または脱毛遅延剤、体毛成長の阻害または遅延剤、熱ショックタンパク質合成刺激剤、筋弛緩剤、筋収縮阻害剤、アセチルコリン受容体の凝集阻害剤、抗コリン剤、エラスターゼ阻害剤、基質メタロプロテイナーゼ阻害剤、キレート剤、野菜抽出物、精油、海洋抽出物、鉱物塩、細胞抽出物、乳化剤、脂質および角質層成分（セラミド、脂肪酸など）の合成刺激剤、バイオ発酵プロセスから得られる薬剤および／またはこれらの混合物によって形成される群から選択されるが、これらに限定されない。これらの活性成分ならびに／または化粧および／もしく栄養補助剤の性質は合成でも天然（野菜抽出物など）でもよいし、あるいは生物工学的プロセスに由来しても、合成プ��セスおよび生物工学的プロセスの組み合わせに由来してもよい。さらなる例は、ＣＴＦＡ  Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ＆  Ｈａｎｄｂｏｏｋ，１２ｔｈ  Ｅｄｉｔｉｏｎ（２００８）において見出すことができる。本発明との関連では、生物工学的プロセスは、活性成分またはその一部を、生物体またはその一部において産生する任意のプロセスであると理解される。
【００３３】
特定の実施形態では、湿潤剤または水分保持物質、保湿剤または皮膚軟化剤は、例えば、ポリオールおよびポリエーテル（グリセリン、エチルヘキシルグリセリン、カプリリルグリコール、ペンチレングリコール、ブチレングリコール、プロピレングリコールおよびこれらの誘導体、トリエチレングリコール、ポリエチレングリコール、グリセレス−２６、ソルベス−３０など）；パンテノール；ピログルタミン酸ならびにその塩および誘導体；アミノ酸（セリン、プロリン、アラニン、グルタメートまたはアルギニンなど）；エクトインおよびその誘導体；Ｎ−（２−ヒドロキシエチル）アセトアミド；Ｎ−ラウロイル−ピロリドンカルボン酸；Ｎ−ラウロイル−Ｌ−リジン；Ｎ−α−ベンゾイル−Ｌ−アルギニン；尿素；クレアチン；α−およびβ−ヒドロキシ酸（乳酸、グリコール酸、リンゴ酸、クエン酸またはサリチル酸およびこれらの塩など）；ポリグリセリルアクリレート；糖および多糖類（グルコース、異性化糖、ソルビトール、ペンタエリトリトール、イノシトール、キシリトール、トレハロースおよびこれらの誘導体、グルクロン酸ナトリウム、カラゲネート（ｃａｒｒａｇｈｅｎａｔｅ）（コンドラス・クリスパス（Ｃｈｏｎｄｒｕｓ  ｃｒｉｓｐｕｓ））またはキトサンなど）；グリコサミノグリカン（ヒアルロン酸およびこれらの誘導体など）；その任意の形態のアロエベラ；蜂蜜；可溶性コラーゲン；レシチンおよびホスファチジルコリン；セラミド；コレステロールおよびそのエステル；トコフェロールおよびそのエステル（酢酸トコフェリルまたはリノール酸トコフェリルなど）；長鎖アルコール（セテアリルアルコール、ステアリルアルコール、セチルアルコール、オレイルアルコール、イソセチルアルコールまたはオクタデカン−２−オールなど）；長鎖アルコールエステル（乳酸ラウリル、乳酸ミリスチルまたは安息香酸Ｃ１２〜Ｃ１５アルキルなど）；脂肪酸（ステアリン酸、イソステアリン酸またはパルミチン酸など）；多価不飽和脂肪酸（ＰＵＦＡ）；ソルビタン（ジステアリン酸ソルビタンなど）；グリセリド（モノリシノール酸グリセリル、モノステアリン酸グリセリル、クエン酸ステアリン酸グリセリルまたはカプリル酸およびカプリン酸トリグリセリドなど）；サッカロースエステル（サッカロースパルミテートまたはサッカロースオレエートなど）；ブチレングリコールエステル（ジカプリル酸エステルおよびジカプリン酸エステルなど）；脂肪酸エステル（イソステアリン酸イソプロピル、パルミチン酸イソブチル、ステアリン酸イソセチル、ラウリン酸イソプロピル、ラウリン酸ヘキシル、オレイン酸デシル、パルミチン酸セチル、セバシン酸ジ−ｎ−ブチル、ミリスチン酸イソプロピル、パルミチン酸イソプロピル、ステアリン酸イソプロピル、ステアリン酸ブチル、ミリスチン酸ブチル、リノール酸イソプロピル、パルミチン酸２−エチルヘキシル、２−エチルヘキシルココエート、オレイン酸デシル、ミリスチン酸ミリスチルなど）；スクアレン；ミンク油；ラノリンおよびその誘導体；アセチル化ラノリンアルコール；シリコーン誘導体（シクロメチコン、ジメチコンまたはジメチルポリシロキサンなど）；Ａｎｔａｒｃｔｉｃｉｎｅ（登録商標）［ＩＮＣＩ：シュ���ドアルテロモナス属発酵抽出物］またはアセチル−グルタミル−メチオニル−アラニル−イソロイシン、アセチル−アルギニル−フェニルグリシル−フェニルグリシンもしくはアセチル−アルギニル−６−アミノヘキサノイル−アラニン（Ｌｉｐｏｔｅｃにより市販）、ペトロラタム；鉱油；ミネラルおよび合成ワックス；蜜ろう（セアラルバ（ｃｅｒａ  ａｌｂａ））；パラフィン；または植物由来のワックスおよび油（特に、キャンデリラワックス（ユーフォルビア  セリフェラ（Ｅｕｐｈｏｒｂｉａ  ｃｅｒｉｆｅｒａ））、カルナバワックス（コペルニシア・セリフェラ（Ｃｏｐｅｒｎｉｃｉａ  ｃｅｒｉｆｅｒａ））、シアバター（ブチロスペルマム・パルキイ（Ｂｕｔｉｒｏｓｐｅｒｍｕｍ  ｐａｒｋｉｉ））、ココアバター（テオブロマ・カカオ（Ｔｈｅｏｂｒｏｍａ  ｃａｃａｏ））、ヒマシ油（リシナス・コムニス（Ｒｉｃｉｎｕｓ  ｃｏｍｍｕｎｉｓ）、ヒマワリ油（ヘリアンサス・アンヌース（Ｈｅｌｉａｎｔｈｕｓ  ａｎｎｕｕｓ））、オリーブ油（オレア・ユーロピア（Ｏｌｅａ  ｅｕｒｏｐａｅａ））、ココナッツ油（ココス・ヌシフェラ（Ｃｏｃｏｓ  ｎｕｃｉｆｅｒａ））、ヤシ油（エラエイス・ギネエンシス（Ｅｌａｅｉｓ  ｇｕｉｎｅｅｎｓｉｓ））、小麦胚芽油（トリチカム・ブルガレ（Ｔｒｉｔｉｃｕｍ  ｖｕｌｇａｒｅ））、スィートアーモンド油（プルヌス・アミグダラス・デュルセス（Ｐｒｕｎｕｓ  ａｍｙｇｄａｌｕｓ  ｄｕｌｃｅｓ））、マスクローズ油（ロサ・モスカータ（Ｒｏｓａ  ｍｏｓｃｈａｔａ））、大豆油（グリシン・ソヤ（Ｇｌｙｃｉｎｅ  ｓｏｊａ）、ブドウ種子油（ビティス・ヴィニフェラ（Ｖｉｔｉｓ  ｖｉｎｉｆｅｒａ））、カレンデュラ油（カレンデュラ・オフィシナリス（Ｃａｌｅｎｄｕｌａ  ｏｆｆｉｃｉｎａｌｉｓ））、ホホバ油（シモンシス・チネンシス（Ｓｉｍｍｏｎｓｉｓ  ｃｈｉｎｅｎｓｉｓ））、マンゴー油（マンギフェラ・インディカ（Ｍａｎｇｉｆｅｒａ  ｉｎｄｉｃａ））、アボカド油（ペルセア・グラチシマ（Ｐｅｒｓｅａ  ｇｒａｔｉｓｓｉｍａ））、および／またはこれらの混合物など）によって形成される群から選択されるが、これらに限定されない。
【００３４】
同様に、別の特定の実施形態では、治癒刺激剤、コアジュバント治癒剤、再上皮化刺激剤および／またはコアジュバント再上皮化剤は、例えば、とりわけ、アリストロクイア・クレマチス（Ａｒｉｓｔｏｌｏｑｕｉａ  ｃｌｅｍａｔｉｓ）、センテラ・アジアチカ（Ｃｅｎｔｅｌｌａ  ａｓｉａｔｉｃａ）、ロサ・モスカータ（Ｒｏｓａ  ｍｏｓｃｈａｔａ）、エキナセア・アングスティフォリア（Ｅｃｈｉｎａｃｅａ  ａｎｇｕｓｔｉｆｏｌｉａ）、シンフィツム・オフィシナレ（Ｓｙｍｐｈｙｔｕｍ  ｏｆｆｉｃｉｎａｌｅ）、エクイセタム・アルベンセ（Ｅｑｕｉｓｅｔｕｍ  ａｒｖｅｎｓｅ）、ハイペリカム・パーフォラタム（Ｈｙｐｅｒｉｃｕｍ  ｐｅｒｆｏｒａｔｕｍ）、ミモザ・テヌイフローラ（Ｍｉｍｏｓａ  ｔｅｎｕｉｆｌｏｒａ）、ペルセア・グラチシマ（Ｐｅｒｓｅａ  ｇｒａｔｉｓｉｍａ）、プルヌス・アフリカヌム（Ｐｒｕｎｕｓ  ａｆｒｉｃａｎｕｍ）、トルメンチラ・エレクティア（Ｔｏｒｍｅｎｔｉｌｌａ  ｅｒｅｃｔｅａ）、アロエ・ベラ（Ａｌｏｅ  ｖｅｒａ）の抽出物、Ｐｏｌｙｐｌａｎｔ（登録商標）Ｅｐｉｔｈｅｌｉｚｉｎｇ［ＩＮＣＩ：カレンデュラ・オフィシナリス（Ｃａｌｅｎｄｕｌａ  Ｏｆｆｉｃｉｎａｌｉｓ）、ハイペリカム・パーフォラタム（Ｈｙｐｅｒｉｃｕｍ  Ｐｅｒｆｏｒａｔｕｍ）、カモミラ・レクチタ（Ｃｈａｍｏｍｉｌｌａ  ｒｅｃｕｔｉｔａ）、ロスマリヌス・オフィシナリス（Ｒｏｓｍａｒｉｎｕｓ  Ｏｆｆｉｃｉｎａｌｉｓ）］（Ｐｒｏｖｉｔａｌにより市販）、Ｃｙｔｏｋｉｎｏｌ（登録商標）ＬＳ９０２８［ＩＮＣＩ：加水分解カゼイン、加水分解酵母タンパク質、リジンＨＣｌ］（Ｌａｂｏｒａｔｏｒｉｅｓ  Ｓｅｒｏｂｉｏｌｏｇｉｑｕｅｓ／Ｃｏｇｎｉｓにより市販）またはＤｅｌｉｎｅｒ（登録商標）［ＩＮＣＩ：ズィー・メイ（Ｚｅａ  Ｍａｙ）（コーン）カーネル抽出物］（Ｃｏｌｅｔｉｃａ／Ｅｎｇｅｌｈａｒｄ／ＢＡＳＦにより市販）、アラントイン、カドヘリン、インテグリン、セレクチン、ヒアルロン酸受容体、免疫グロブリン、線維芽細胞成長因子、結合組織成長因子、血小板由来の成長因子、血管内皮成長因子、上皮成長因子、インスリン様成長因子、ケラチノサイト成長因子、コロニー刺激因子、トランスフォーミング増殖因子β、腫瘍壊死因子α、インターフェロン、インターロイキン、基質メタロプロテイナーゼ、受容体タンパク質チロシンフォスファターゼ、Ａｎｔａｒｃｔｉｃｉｎｅ（登録商標）［ＩＮＣＩ：シュードアルテロモナス属発酵抽出物］、Ｄｅｃｏｒｉｎｙｌ（登録商標）［ＩＮＣＩ：トリペプチド−１０シトルリン］、Ｔｒｙｌａｇｅｎ（登録商標）［ＩＮＣＩ：シュードアルテロモナス属発酵抽出物、加水分解小麦タンパク質、加水分解大豆タンパク質、トリペプチド−１０シトルリン、トリペプチド−１］、アセチル−グルタミル−メチオニル−アラニル−イソロイシン、アセチル−アルギニル−フェニルグリシル−フェニルグリシンまたはアセチル−アルギニル−６−アミノヘキサノイル−アラニン（Ｌｉｐｏｔｅｃにより市販）によって形成される群から選択されるが、これらに限定されない。
【００３５】
特定の実施形態では、真皮または上皮の巨大分子の合成を刺激する薬剤は、例えば、コラーゲン合成刺激剤、エラスチン合成刺激剤、デコリン合成刺激剤、ラミニン合成刺激剤、シャペロン合成刺激剤、ヒアルロン酸合成刺激剤、アクアポリン合成刺激剤、フィブロネクチン合成刺激剤、コラーゲン分解阻害剤、エラスチン分解阻害剤、セリンプロテアーゼ（白血球エラスターゼまたはカテプシンＧなど）の阻害剤、線維芽細胞増殖刺激剤、脂肪細胞増殖刺激剤、脂肪細胞分化刺激剤、血管新生刺激剤、グリコサミノグリカン合成刺激剤、ＤＮＡ修復剤および／またはＤＮＡ保護剤、例えば（限定はされないが）、とりわけ、センテラ・アジアチカ（Ｃｅｎｔｅｌｌａ  ａｓｉａｔｉｃａ）、サッカロミセス・セレビシエ（Ｓａｃｃｈａｒｏｍｙｃｅｓ  ｃｅｒｅｖｉｓｉａｅ）、ソラナム・ツベロサム（Ｓｏｌａｎｕｍ  ｔｕｂｅｒｏｓｕｍ）、ローズマリー・オフィシナリス（Ｒｏｓｍａｒｉｎｕｓ  ｏｆｆｉｃｉｎａｌｉｓ）、バクシニウム・アングスティフォリウム（Ｖａｃｃｉｎｉｕｍ  ａｎｇｕｓｔｉｆｏｌｉｕｍ）の抽出物、藻類のマクロシスチス・ピリフェラ（Ｍａｃｒｏｃｙｓｔｉｓ  ｐｙｒｉｆｅｒａ）、パディナ・パボニカ（Ｐａｄｉｎａ  ｐａｖｏｎｉｃａ）の抽出物、植物の大豆、麦芽、亜麻、セージ、ムラサキツメクサ、葛根湯、シロバナルピナスの抽出物、ヘーゼルナッツ抽出物、コーン抽出物、酵母抽出物、ブナの木の芽の抽出物、マメ科の種子の抽出物、植物ホルモン（特に、ジベレリン、オーキシンまたはサイトカイニンなど）の抽出物、または動物プランクトンのサリナ（Ｓａｌｉｎａ）の抽出物、ラクトバチルス・ブルガリクス（Ｌａｃｔｏｂａｃｉｌｌｕｓ  Ｂｕｌｇａｒｉｃｕｓ）による乳発酵生成物、アシアチコシドおよびその誘導体、ビタミンＣおよびその誘導体、ケイ皮酸およびその誘導体、Ｍａｔｒｉｘｙｌ（登録商標）［ＩＮＣＩ：パルミトイルペンタペプチド−３］、Ｍａｔｒｉｘｙｌ（登録商標）３０００［ＩＮＣＩ：パルミトイルテトラペプチド−３、パルミトイルオリゴペプチド］またはＢｉｏｐｅｐｔｉｄｅ  ＣＬ（商標）［ＩＮＣＩ：グリセリルポリメタクリレート、プロピレングリコール、パルミトイルオリゴペプチド］（Ｓｅｄｅｒｍａにより市販）、Ａｎｔａｒｃｔｉｃｉｎｅ（登録商標）［ＩＮＣＩ：シュードモナス（Ｐｓｅｕｄｏｍｏｎａｓ）発酵抽出物］、Ｄｅｃｏｒｉｎｙｌ（登録商標）［ＩＮＣＩ：トリペプチド−１０シトルリン］、Ｓｅｒｉｌｅｓｉｎｅ（登録商標）［ＩＮＣＩ：ヘキサペプチド−１０］、Ｌｉｐｅｐｔｉｄｅ［ＩＮＣＩ：加水分解植物性タンパク質］、Ａｌｄｅｎｉｎｅ（登録商標）［ＩＮＣＩ：加水分解小麦タンパク質、加水分解大豆タンパク質、トリペプチド−１］、ペプチドＡＣ２９［ＩＮＣＩ：アセチルトリペプチド−３０シトルリン］、アセチル−アルギニル−フェニルグリシル−トリプトフィル−フェニルグリシン、アセチル−アルギニル−フェニルグリシル−バリル−グリシンまたはアセチル−アルギニル−フェニルグリシル−バリル−フェニルグリシン（Ｌｉｐｏｔｅｃにより市販）、Ｄｒｉｅｌｉｎｅ（登録商標）ＰＦ［ＩＮＣＩ：酵母βグルカン］（Ａｌｂａｎ  Ｍｕｌｌｅｒにより市販）、Ｐｈｙｔｏｖ��ｔｙｌ  Ｃ（登録商標）［ＩＮＣＩ：水、ゼア・マイス（Ｚｅａ  Ｍａｙｓ）抽出物］（Ｓｏｌａｂｉａにより市販）、Ｃｏｌｌａｌｉｆｔ（登録商標）［ＩＮＣＩ：加水分解麦芽抽出物］（Ｃｏｌｅｔｉｃａ／Ｅｎｇｅｌｈａｒｄにより市販）、Ｐｈｙｔｏｃｏｈｅｓｉｎｅ（登録商標）ＰＳＰ［提案されたＩＮＣＩ  ：β−シトステロール硫酸ナトリウム］（Ｓｅｐｏｒｇａにより市販）、ミネラル（特に、カルシウムなど）、レチノイドおよびその誘導体、イソフラボノイド、カロテノイド、特にリコペン、偽ジペプチド、レチノイドおよびその誘導体（とりわけ、レチノールまたはパルミチン酸レチニルなど）、またはヘパリノイドによって形成される群から選択されるが、これらに限定されない。
【００３６】
特定の実施形態では、真皮または上皮の巨大分子の合成を刺激する薬剤は、例えば、コラーゲン合成刺激剤、エラスチン合成刺激剤、デコリン合成刺激剤、ラミニン合成刺激剤、シャペロン合成刺激剤、ヒアルロン酸合成刺激剤、アクアポリン合成刺激剤、フィブロネクチン合成刺激剤、コラーゲン分解阻害剤、エラスチン分解阻害剤、セリンプロテアーゼ（白血球エラスターゼまたはカテプシンＧなど）の阻害剤、線維芽細胞増殖刺激剤、脂肪細胞増殖刺激剤、脂肪細胞分化刺激剤、血管新生刺激剤、グリコサミノグリカン合成刺激剤、ＤＮＡ修復剤および／またはＤＮＡ保護剤、例えば（限定はされないが）、とりわけ、センテラ・アジアチカ（Ｃｅｎｔｅｌｌａ  ａｓｉａｔｉｃａ）、サッカロミセス・セレビシエ（Ｓａｃｃｈａｒｏｍｙｃｅｓ  ｃｅｒｅｖｉｓｉａｅ）、ソラナム・ツベロサム（Ｓｏｌａｎｕｍ  ｔｕｂｅｒｏｓｕｍ）、ローズマリー・オフィシナリス（Ｒｏｓｍａｒｉｎｕｓ  ｏｆｆｉｃｉｎａｌｉｓ）、バクシニウム・アングスティフォリウム（Ｖａｃｃｉｎｉｕｍ  ａｎｇｕｓｔｉｆｏｌｉｕｍ）の抽出物、藻類のマクロシスチス・ピリフェラ（Ｍａｃｒｏｃｙｓｔｉｓ  ｐｙｒｉｆｅｒａ）、パディナ・パボニカ（Ｐａｄｉｎａ  ｐａｖｏｎｉｃａ）の抽出物、植物の大豆、麦芽、亜麻、セージ、ムラサキツメクサ、葛根湯、シロバナルピナスの抽出物、ヘーゼルナッツ抽出物、コーン抽出物、酵母抽出物、ブナの木の芽の抽出物、マメ科の種子の抽出物、植物ホルモン（特に、ジベレリン、オーキシンまたはサイトカイニンなど）の抽出物、または動物プランクトンのサリナ（Ｓａｌｉｎａ）の抽出物、ラクトバチルス・ブルガリクス（Ｌａｃｔｏｂａｃｉｌｌｕｓ  Ｂｕｌｇａｒｉｃｕｓ）による乳発酵生成物、アシアチコシドおよびその誘導体、ビタミンＣおよびその誘導体、ケイ皮酸およびその誘導体、Ｍａｔｒｉｘｙｌ（登録商標）［ＩＮＣＩ：パルミトイルペンタペプチド−３］、Ｍａｔｒｉｘｙｌ（登録商標）３０００［ＩＮＣＩ：パルミトイルテトラペプチド−３、パルミトイルオリゴペプチド］またはＢｉｏｐｅｐｔｉｄｅ  ＣＬ（商標）［ＩＮＣＩ：グリセリルポリメタクリレート、プロピレングリコール、パルミトイルオリゴペプチド］（Ｓｅｄｅｒｍａにより市販）、Ａｎｔａｒｃｔｉｃｉｎｅ（登録商標）［ＩＮＣＩ：シュードモナス（Ｐｓｅｕｄｏｍｏｎａｓ）発酵抽出物］、Ｄｅｃｏｒｉｎｙｌ（登録商標）［ＩＮＣＩ：トリペプチド−１０シトルリン］、Ｓｅｒｉｌｅｓｉｎｅ（登録商標）［ＩＮＣＩ：ヘキサペプチド−１０］、Ｌｉｐｅｐｔｉｄｅ［ＩＮＣＩ：加水分解植物性タンパク質］、Ａｌｄｅｎｉｎｅ（登録商標）［ＩＮＣＩ：加水分解小麦タンパク質、加水分解大豆タンパク質、トリペプチド−１］、ペプチドＡＣ２９［ＩＮＣＩ：アセチルトリペプチド−３０シトルリン］、アセチル−アルギニル−フェニルグリシル−トリプトフィル−フェニルグリシン、アセチル−アルギニル−フェニルグリシル−バリル−グリシンまたはアセチル−アルギニル−フェニルグリシル−バリル−フェニルグリシン（Ｌｉｐｏｔｅｃにより市販）、Ｄｒｉｅｌｉｎｅ（登録商標）ＰＦ［ＩＮＣＩ：酵母βグルカン］（Ａｌｂａｎ  Ｍｕｌｌｅｒにより市販）、Ｐｈｙｔｏｖ��ｔｙｌ  Ｃ（登録商標）［ＩＮＣＩ：水、ゼア・マイス（Ｚｅａ  Ｍａｙｓ）抽出物］（Ｓｏｌａｂｉａにより市販）、Ｃｏｌｌａｌｉｆｔ（登録商標）［ＩＮＣＩ：加水分解麦芽抽出物］（Ｃｏｌｅｔｉｃａ／Ｅｎｇｅｌｈａｒｄにより市販）、Ｐｈｙｔｏｃｏｈｅｓｉｎｅ（登録商標）ＰＳＰ［提案されたＩＮＣＩ  ：β−シトステロール硫酸ナトリウム］（Ｓｅｐｏｒｇａにより市販）、ミネラル（特に、カルシウムなど）、レチノイドおよびその誘導体、イソフラボノイド、カロテノイド、特にリコペン、偽ジペプチド、レチノイドおよびその誘導体（とりわけ、レチノールまたはパルミチン酸レチニルなど）、またはヘパリノイドによって形成される群から選択されるが、これらに限定されない。
【００３７】
特定の実施形態では、エラスターゼ阻害剤は、例えば、とりわけ、Ｅｌｈｉｂｉｎ（登録商標）［ＩＮＣＩ：グリシン・ソヤ（Ｇｌｙｃｉｎｅ  Ｓｏｊａ）（大豆）タンパク質］、Ｐｒｅｒｅｇｅｎ（登録商標）［ＩＮＣＩ：グリシン・ソヤ（Ｇｌｙｃｉｎｅ  Ｓｏｊａ）（大豆）タンパク質、オキシドレダクターゼ］またはＲｅｇｕ（登録商標）−Ａｇｅ［ＩＮＣＩ：加水分解米ぬかタンパク質、グリシン・ソヤ（Ｇｌｙｃｉｎｅ  Ｓｏｊａ）（大豆）タンパク質、オキシドレダクターゼ］（Ｐｅｎｔａｐｈａｒｍ／ＤＳＭにより市販）、Ｊｕｖｅｎｅｓｃｅ［ＩＮＣＩ：エトキシジグリコールおよびカプリル酸トリグリセリド、レチノール、ウルソール酸、フィトナジオン、イロマスタット］、Ｍｉｃｒｏｍｅｒｏｌ（商標）［ＩＮＣＩ：ピルス・マルス（Ｐｙｒｕｓ  Ｍａｌｕｓ）抽出物］、Ｈｅａｔｈｅｒ  Ｅｘｔｒａｃｔ［ＩＮＣＩ：カルーナ・ブルガリス（Ｃａｌｌｕｎａ  Ｖｕｌｇａｒｉｓ）抽出物］、Ｅｘｔｒａｃｅｌｌｉｕｍ（登録商標）［ＩＮＣＩ：加水分解ジャガイモタンパク質］またはＦｌａｖａｇｒｕｍ（商標）ＰＥＧ［ＩＮＣＩ：ＰＥＧ−６イソステアレート、ラウリン酸ヘスペレチン］（Ｃｏｌｅｔｉｃａ／Ｅｎｇｅｌｈａｒｄ／ＢＡＳＦにより市販）、Ｐｒｏｔｅａｓｙｌ（登録商標）ＴＰ  ＬＳ８６５７［ＩＮＣＩ：ピスム・サティヴム（Ｐｉｓｕｍ  Ｓａｔｉｖｕｍ）抽出物］（Ｌａｂｏｒａｔｏｉｒｅｓ  Ｓｅｒｏｂｉｏｌｏｇｉｑｕｅｓ／Ｃｏｇｎｉｓにより市販）、アセチル−アルギニル−フェニルグリシル−トリプトフィル−フェニルグリシン、アセチル−アルギニル−フェニルグリシル−バリル−グリシンまたはアセチル−アルギニル−フェニルグリシル−バリル−フェニルグリシン（Ｌｉｐｏｔｅｃにより市販）、Ｓｅｐｉｌｉｆｔ  ＤＰＨＰ［ＩＮＣＩ：ジパルミトイルヒドロキシプロリン］（ＳＥＰＰＩＣにより市販）、Ｖｉｔａｄｅｒｍ（登録商標）［ＩＮＣＩ：アルコール、水、グリセリン、加水分解米タンパク質、イレクス・アクイフォリウム（Ｉｌｅｘ  Ａｑｕｉｆｏｌｉｕｍ）抽出物、ウルソール酸ナトリウム、オレアノール酸ナトリウム］（Ｒａｈｎにより市販）、Ｇａｔｕｌｉｎｅ（登録商標）Ａｇｅ  Ｄｅｆｅｎｓｅ  ２［ＩＮＣＩ：ジャグランス・レギア（Ｊｕｇｌａｎｓ  Ｒｅｇｉａ）（クルミ）種子抽出物］（Ｇａｔｔｅｆｏｓｓｅにより市販）、ＩＰ２０００［ＩＮＣＩ：デキストラン、トリフルオロアセチルトリペプチド−２］（ＩＥＢおよびＡｔｒｉｕｍにより市販）、Ｒａｄｉｃａｐｔｏｌ［ＩＮＣＩ：プロピレングリコール、水、パッシフローラ・インカルナタ（Ｐａｓｓｉｆｌｏｒａ  Ｉｎｃａｒｎａｔａ）花抽出物、リベス・ニグラム（Ｒｉｂｅｓ  Ｎｉｇｒｕｍ）（ブラックカラント）葉抽出物、ビティス・ヴィニフェラ（Ｖｉｔｉｓ  ｖｉｎｉｆｅｒａ）（ブドウ）葉抽出物］（Ｓｏｌａｂｉａにより市販）またはＶｉａＰｕｒｅ（商標）Ｂｏｓｗｅｌｌｉａ［ＩＮＣＩ：オリバナム（Ｏｌｉｖａｎｕｍ）（ボスウェリア・セラータ（Ｂｏｓｗｅｌｌｉａ  Ｓｅｒｒａｔａ））抽出物］（Ｓｏｌｉａｎｃｅにより市販）によって形成される群から選択されるが、これらに限定されない。
【００３８】
特定の実施形態では、基質メタロプロテイナーゼ阻害剤は、例えば、とりわけ、ウルソール酸、イソフラボン（ゲニステインなど）、ケルセチン、カロテノイド、リコペン、大豆抽出物、クランベリー抽出物、ローズマリー抽出物、トリフォリウム・プラテンセ（Ｔｒｉｆｏｌｉｕｍ  ｐｒａｔｅｎｓｅ）（ムラサキツメクサ）抽出物、フォルミウム・テナックス（Ｐｈｏｒｍｉｕｍ  ｔｅｎａｘ）（ニュージーランド麻）抽出物、葛根湯抽出物、セージ抽出物、レチノールおよびその誘導体、レチノイン酸およびその誘導体、サポゲニン（特に、ジオスゲニン、ヘコゲニン、スミラゲニン、サルサポゲニン、チゴゲニン、ヤモゲニンおよびユカゲニンなど）、Ｃｏｌｌａｌｉｆｔ（登録商標）［ＩＮＣＩ：加水分解麦芽抽出物］、Ｊｕｖｅｎｅｓｃｅ［ＩＮＣＩ：エトキシジグリコールおよびカプリル酸トリグリセリド、レチノール、ウルソール酸、フィトナジオン、イロマスタット］またはＥｑｕｉＳｔａｔ［ＩＮＣＩ  ピルス・マルス（Ｐｙｒｕｓ  Ｍａｌｕｓ）果実抽出物、グリシン・ソヤ（Ｇｌｙｃｉｎｅ  Ｓｏｊａ）種子抽出物］（Ｃｏｌｅｔｉｃａ／Ｅｎｇｅｌｈａｒｄにより市販）、Ｐｅｐｈａ（登録商標）−Ｔｉｍｐ［ＩＮＣＩ：ヒトオリゴペプチド−２０］、Ｒｅｇｕ−Ａｇｅ［ＩＮＣＩ：加水分解米ぬかタンパク質、グリシン・ソヤ（Ｇｌｙｃｉｎｅ  Ｓｏｊａ）タンパク質、オキシドレダクターゼ］またはＣｏｌｈｉｂｉｎ［ＩＮＣＩ：加水分解米タンパク質］（Ｐｅｎｔａｐｈａｒｍにより市販）、Ｌｉｐｅｐｔｉｄｅ［ＩＮＣＩ：加水分解植物性タンパク質］またはペプチドＡＣ２９［ＩＮＣＩ：アセチルトリペプチド−３０シトルリン］（Ｌｉｐｏｔｅｃにより市販）、Ｌｉｔｃｈｉｄｅｒｍ（商標）［ＩＮＣＩ：ライチ・キネンシス（Ｌｉｔｃｈｉ  Ｃｈｉｎｅｎｓｉｓ）果皮抽出物］またはＡｒｇａｎｙｌ（商標）［ＩＮＣＩ：アルガニア・スピノサ（Ａｒｇａｎｉａ  Ｓｐｉｎｏｓａ）葉抽出物］（Ｌａｂｏｒａｔｏｒｉｅｓ  Ｓｅｒｏｂｉｏｌｏｇｉｑｕｅｓ／Ｃｏｇｎｉｓにより市販）、ＭＤＩ  Ｃｏｍｐｌｅｘ（登録商標）［ＩＮＣＩ：グリコサミノグリカン］またはＥＣＭ−Ｐｒｏｔｅｃｔ（登録商標）［ＩＮＣＩ：水、デキストラン、トリペプチド−２］（Ａｔｒｉｕｍ  Ｉｎｎｏｖａｔｉｏｎｓにより市販）、Ｄａｋａｌｉｎｅ［ＩＮＣＩ：プルヌス・アミグダラス・デュルシス（Ｐｒｕｎｕｓ  ａｍｙｇｄａｌｕｓ  ｄｕｌｃｉｓ）、アノゲイスス・レイオカルプス（Ａｎｏｇｅｉｓｓｕｓ  ｌｅｉｏｃａｒｐｕｓ）樹皮抽出物］（Ｓｏｌｉａｎｃｅにより市販）、Ｈｏｍｅｏｓｔａｔｉｎｅ［ＩＮＣＩ：エンテロモルファ・コンプレッサ（Ｅｎｔｅｒｏｍｏｒｐｈａ  ｃｏｍｐｒｅｓｓａ）、カエサルピニア・スピノサ（Ｃａｅｓａｌｐｉｎｉａ  Ｓｐｉｎｏｓａ）］（Ｐｒｏｖｉｔａｌにより市販）、Ｔｉｍｐ−Ｐｅｐｔｉｄｅ［提案されたＩＮＣＩ：アセチルヘキサペプチド］またはＥＣＭ  Ｍｏｄｕｌｉｎｅ［提案されたＩＮＣＩ：パルミトイルトリペプチド］（Ｉｎｆｉｎｉｔｅｃ  Ａｃｔｉｖｏｓにより市販）、ＩＰ２０００［ＩＮＣＩ：デキストラン、トリフルオロアセチルトリペプチド−２］（Ｉｎｓｔｉｔｕｔ  Ｅｕｒｏｐｅｅｎ  ｄｅ  Ｂｉｏｌｏｇｉｅ  Ｃｅｌｌｕｌａ���ｒｅにより市販）、Ａｃｔｉｍｐ  １．９．３（登録商標）［ＩＮＣＩ：加水分解ルピナスタンパク質］（Ｅｘｐａｎｓｃｉｅｎｃｅ  Ｌａｂｏｒａｔｏｒｉｅｓにより市販）、Ｖｉｔａｄｅｒｍ（登録商標）［ＩＮＣＩ：アルコール、水、グリセリン、加水分解米タンパク質、イレクス・アクイフォリウム（Ｉｌｅｘ  Ａｑｕｉｆｏｌｉｕｍ）抽出物、ウルソール酸ナトリウム、オレアノール酸ナトリウム］（Ｒａｈｎにより市販）、アダパレン、テトラサイクリンおよびその誘導体（ミノサイクリン、ロリテトラサイクリン、クロルテトラサイクリン、メタサイクリン、オキシテトラサイクリン、ドキシサイクリン、デメクロサイクリンおよびこれらの塩など）、Ｂａｔｉｍａｓｔａｔ［ＢＢ９４；［４−（Ｎ−ヒドロキシアミノ）−２Ｒ−イソブチル−３Ｓ−（チオフェン−２−イルチオメチル）スクシニル］−Ｌ−フェニルアラニン−Ｎ−メチルアミド］、Ｍａｒｉｍａｓｔａｔ［ＢＢ２５１６；［２Ｓ−［Ｎ４（Ｒ＊），２Ｒ＊，３Ｓ］］−Ｎ４［２，２−ジメチル−１−［メチルアミノカルボニル］プロピル］−Ｎ１，２−ジヒドロキシ−３−（２−メチルプロピル）ブタンジアミド］によって形成される群から選択されるが、これらに限定されない。
【００３９】
特定の実施形態では、固化および／または再緻密化および／または再構築剤は、例えば、とりわけ、マルピギア・プニキトリア（Ｍａｌｐｉｇｈｉａ  ｐｕｎｉｃｉｔｏｌｉａ）、シナラ・スコリムス（Ｃｙｎａｒａ  ｓｃｏｌｙｍｕｓ）、ゴシッピウム・ヘルバセウム（Ｇｏｓｓｙｐｉｕｍ  ｈｅｒｂａｃｅｕｍ）、アロエ・バルバデンシス（Ａｌｏｅ  Ｂａｒｂａｄｅｎｓｉｓ）、パニクム・ミリアセウム（Ｐａｎｉｃｕｍ  ｍｉｌｉａｃｅｕｍ）、モルス・ニグラ（Ｍｏｒｕｓ  ｎｉｇｒａ）、セサマム・インディカム（Ｓｅｓａｍｕｍ  ｉｎｄｉｃｕｍ）、グリシン・ソヤ（Ｇｌｙｃｉｎｅ  ｓｏｊａ）、トリチカム・ブルガレ（Ｔｒｉｔｉｃｕｍ  ｖｕｌｇａｒｅ）の抽出物、Ｐｒｏｎａｌｅｎ（登録商標）Ｒｅｆｉｒｍｉｎｇ  ＨＳＣ［ＩＮＣＩ：トリチカム・ブルガレ（Ｔｒｉｔｉｃｕｍ  ｖｕｌｇａｒｅ）、シリバム・マリアナム（Ｓｉｌｙｂｕｍ  Ｍａｒｉａｎｕｍ）、グリシン・ソイ（Ｇｌｙｃｉｎｅ  Ｓｏｙ）、エクイセタム・アルベンセ（Ｅｑｕｉｓｅｔｕｍ  Ａｒｖｅｎｓｅ）、アルケミラ・ブルガリス（Ａｌｃｈｅｍｉｌｌａ  Ｖｕｌｇａｒｉｓ）、メデイカゴ・サティバ（Ｍｅｄｉｃａｇｏ  Ｓａｔｉｖａ）、ラファヌス・サティブス（Ｒａｐｈａｎｕｓ  Ｓａｔｉｖｕｓ）］またはＰｏｌｙｐｌａｎｔ（登録商標）Ｒｅｆｉｒｍｉｎｇ［ＩＮＣＩ：コーンフラワー、アジアセンテラ（Ａｓｉａｔｉｃ  Ｃｅｎｔｅｌｌａ）、フカス（Ｆｕｃｕｓ）、コロハ］（Ｐｒｏｖｉｔａｌにより市販）、Ｌａｎａｂｌｕｅ（登録商標）［ＩＮＣＩ：ソルビトール、藻類抽出物］（Ａｔｒｉｕｍ  Ｉｎｎｏｖａｔｉｏｎｓにより市販）、Ｐｅｐｈａ（登録商標）−Ｎｕｔｒｉｘ［ＩＮＣＩ：天然栄養因子］（Ｐｅｎｔａｐｈａｒｍにより市販）、またはイソフラボンを含有する野菜抽出物、Ｂｉｏｐｅｐｔｉｄｅ  ＥＬ（商標）［ＩＮＣＩ：パルミトイルオリゴペプチド］、Ｂｉｏｐｅｐｔｉｄｅ  ＣＬ（商標）［ＩＮＣＩ：パルミトイルオリゴペプチド］、Ｖｅｘｅｌ（登録商標）［ＩＮＣＩ：水、プロピレングリコール、レシチン、カフェイン、パルミトイルカルニチン］、Ｍａｔｒｉｘｙｌ（登録商標）［ＩＮＣＩ：パルミトイルペンタペプチド−３］、Ｍａｔｒｉｘｙｌ（登録商標）３０００［ＩＮＣＩ：パルミトイルテトラペプチド−３、パルミトイルオリゴペプチド］またはＢｉｏ−Ｂｕｓｔｙｌ（商標）［ＩＮＣＩ：グリセリルポリメタクリレート、ラーネラ（Ｒａｈｎｅｌｌａ）大豆タンパク質発酵、水、プロピレングリコール、グリセリン、ＰＥＧ−８、パルミトイルオリゴペプチド］（Ｓｅｄｅｒｍａにより市販）、Ｄｅｒｍｏｓａｃｃｈａｒｉｄｅｓ（登録商標）ＨＣ［ＩＮＣＩ：グリセリン、水、グリコサミノグリカン、グリコーゲン］、Ａｇｌｙｃａｌ（登録商標）［ＩＮＣＩ：マンニトール、シクロデキストリン、グリコーゲン、アラトスタフィロス・ウバ・ウルシ（Ａｒａｔｏｓｔａｐｈｙｌｏｓ  Ｕｖａ  Ｕｒｓｉ）葉抽出物］、Ｃｙｔｏｋｉｎｏｌ（登録商標）ＬＳ［ＩＮＣＩ：加水分解カゼイン、加水分解酵母タンパク質、リジンＨＣＬ］またはＦｉｒｍｉｄｅｒｍ（登録商標）ＬＳ９１２０［ＩＮＣＩ：ターミナリア・カタパ（Ｔｅｒｍｉｎａｌｉａ  Ｃａｔａｐｐａ）葉抽出物、サムブクス・ネグラ（Ｓａｍｂｕｃｕｓ  Ｎｅｇｒａ）花抽出物、ＰＶＰ、タンニン酸］（Ｌａｂｏｒａｔｏｉｒｅｓ  Ｓｅｒｏｂｉｏｌｏｇｉｑｕｅｓ／Ｃｏｇｎｉｓにより市販）、Ｌｉｆｔｌｉｎｅ（登録商標）［ＩＮＣＩ：加水分解小麦タンパク質］、Ｒａｆｆｅｒｍｉｎｅ（登録商標）［ＩＮＣＩ：加水分解大豆粉］またはＲｉｄｕｌｉｓｓｅ  Ｃ（登録商標）［加水分解大豆タンパク質］（Ｓｉｌａｂにより市販）、Ｓｅｒｉｌｅｓｉｎｅ（登録商標）［ＩＮＣＩ：ヘキサペプチド−１０］、Ｄｅｃｏｒｉｎｙｌ（商標）［ＩＮＣＩ：トリペプチド−１０シトルリン］、Ｔｒｙｌａｇｅｎ（登録商標）［ＩＮＣＩ：シュードアルテロモナス属発酵抽出物、加水分解小麦タンパク質、加水分解大豆タンパク質、トリペプチド−１０シトルリン、トリペプチド−１］（Ｌｉｐｏｔｅｃにより市販）、Ｕｒｓｏｌｉｓｏｍｅ（登録商標）［ＩＮＣＩ：レシチン、ウルソール酸、アテロコラーゲン、キサンタンゴム、コンドロイチン硫酸ナトリウム］またはＣｏｌｌａｌｉｆｔ（登録商標）［ＩＮＣＩ：加水分解麦芽抽出物］（Ｃｏｌｅｔｉｃａ／Ｅｎｇｅｌｈａｒｄにより市販）、Ｓｙｎ（登録商標）−Ｃｏｌｌ［ＩＮＣＩ：パルミトイルトリペプチド−５］（Ｐｅｎｔａｐｈａｒｍにより市販）、Ｈｙｄｒｉａｍｅ（登録商標）［ＩＮＣＩ：水、グリコサミノグリカン、スクレロチウムガム］（Ａｔｒｉｕｍ  Ｉｎｎｏｖａｔｉｏｎｓにより市販）またはＩＰ２０００［ＩＮＣＩ：デキストラン、トリフルオロアセチルトリペプチド−２］（Ｉｎｓｔｉｔｕｔ  Ｅｕｒｏｐｅｅｎ  ｄｅ  Ｂｉｏｌｏｇｉｅ  Ｃｅｌｌｕｌａｉｒｅにより市販）によって形成される群から選択されるが、これらに限定されない。
【００４０】
特定の実施形態では、抗糖化剤は、例えば、とりわけ、バクシニウム・アングスティフォリウム（Ｖａｃｃｉｎｉｕｍ  ａｎｇｕｓｔｉｆｏｌｉｕｍ）抽出物、エルゴチオネインおよびその誘導体、リジン、Ａｌｄｅｎｉｎｅ（登録商標）［ＩＮＣＩ：加水分解小麦タンパク質、加水分解大豆タンパク質、トリペプチド−１］、Ｖｉｌａｓｔｅｎｅ（商標）［ＩＮＣＩ：リジンＨＣｌ、レシチン、トリペプチド−１０シトルリン］、ｄＧｌｙａｇｅ（商標）［ＩＮＣＩ：リジンＨＣｌ、レシチン、トリペプチド−９シトルリン］またはＥｙｅｓｅｒｙｌ（登録商標）［ＩＮＣＩ：アセチルテトラペプチド−５］（Ｌｉｐｏｔｅｃにより市販）、ヒドロキシスチルベンおよびその誘導体、リスベラトロールまたは３，３’，５，５’−テトラヒドロキシスチルベンによって形成される群から選択されるが、これらに限定されない。
【００４１】
特定の実施形態では、フリーラジカルスカベンジャーおよび／または抗大気汚染剤、および／または反応性カルボニル種スカベンジャーは、例えば、とりわけ、茶抽出物、オリーブ葉抽出物、ローズマリー・オフィシナリス（Ｒｏｓｍａｒｉｎｕｓ  ｏｆｆｉｃｉｎａｌｉｓ）抽出物またはエイクホルニア・クラシペス（Ｅｉｃｈｈｏｒｎｉａ  ｃｒａｓｓｉｐｅｓ）抽出物、ベンゾピレン、ビタミンＣおよびその誘導体、ビタミンＥおよびその誘導体、特に、酢酸トコフェロール、アスコルビルグリコシド、フェノールおよびポリフェノール、特に、タンニン、タンニン酸およびエラグ酸、ガロカテコール、アントシアニン、クロロゲン酸、スチルベン、インドール、システイン含有アミノ酸誘導体、特に、Ｎ−アセチルシステイン、エルゴチオネイン、Ｓ−カルボキシメチルシステイン、キレート剤、特に、ＥＤＴＡまたはエチレンジアミン、カロテノイド、バイオフラボノイド、ユビキノン、イデベノン、カタラーゼ、スーパーオキシドジスムターゼ、ラクトペルオキシダーゼ、グルタチオンペルオキシダーゼ、グルタチオン、ベンジリデンカンファー、ピドラート（ｐｉｄｏｌａｔｅ）、リグナン、メラトニン、オリザノール、カルノシンおよびその誘導体、ＧＨＫ［ＩＮＣＩ：トリペプチド−１］ならびにその塩および／または誘導体、Ａｌｄｅｎｉｎｅ（登録商標）［ＩＮＣＩ：加水分解小麦タンパク質、加水分解大豆タンパク質、トリペプチド−１］、Ｐｒｅｖｅｎｔｈｅｌｉａ（商標）［ＩＮＣＩ：ジアミノプロピオノイルトリペプチド−３３］またはＬｉｐｏｃｈｒｏｍａｎ−６［ＩＮＣＩ：ジメチルメトキシクロマノール］（Ｌｉｐｏｔｅｃにより市販）によって形成される群から選択されるが、これらに限定されない。
【００４２】
特定の実施形態では、５α−レダクターゼ阻害剤は、例えば、とりわけ、シンナモマム・ゼイラニクム（Ｃｉｎｎａｍｏｍｍｕｍ  ｚｅｙｌａｎｉｃｕｍ）、ラミナリア・サッカリナ（Ｌａｍｉｎａｒｉａ  ｓａｃｃｈａｒｉｎａ）、スピラエア・ウルマリア（Ｓｐｉｒａｅａ  ｕｌｍａｒｉａ）、ネトル・ルート（Ｎｅｔｔｌｅ  Ｒｏｏｔ）、ピジウム・アフリカナム（Ｐｙｇｅｕｍ  ａｆｒｉｃａｎｕｍ）、アベナ・サティバ（Ａｖｅｎａ  Ｓａｔｉｖａ）、セレノア・レペンス（Ｓｅｒｅｎｏａ  ｒｅｐｅｎｓ）の抽出物、植物のアルニカ・モンタナ（Ａｒｎｉｃａ  ｍｏｎｔａｎａ）、シンコナ・スクシルブラ（Ｃｉｎｃｈｏｎａ  ｓｕｃｃｉｒｕｂｒａ）、ユーゲニア・カリオフィラタ（Ｅｕｇｅｎｉａ  ｃａｒｙｏｐｈｙｌｌａｔａ）、フムルス・ルプルス（Ｈｕｍｕｌｕｓ  ｌｕｐｕｌｕｓ）、ハイペリカム・パーフォラタム（Ｈｙｐｅｒｉｃｕｍ  ｐｅｒｆｏｒａｔｕｍ）、メンタ・ピペリタ（Ｍｅｎｔｈａ  ｐｉｐｅｒｉｔａ）、ローズマリー・オフィシナリス（Ｒｏｓｍａｒｉｎｕｓ  ｏｆｆｉｃｉｎａｌｉｓ）、サルビア・オフィシナリス（Ｓａｌｖｉａ  ｏｆｆｉｃｉｎａｌｉｓ）、チムス・ブルガリクス（ｔｈｙｍｕｓ  ｖｕｌｇａｒｉｃｕｓ）の抽出物、シリバム（Ｓｉｌｙｂｕｍ）属の植物の抽出物、サポゲニンを含有する植物の抽出物および特にディオスコレア（Ｄｉｏｓｃｏｒｅａ）属の植物の抽出物、レチノイドおよび特にレチノール、硫黄およびその誘導体、亜鉛塩および特に乳酸、グルコン酸、ピドロ酸、カルボン酸、サリチル酸またはシステイン酸亜鉛、塩化セレン、ビタミンＢ６、ピリドキシン、カプリロイルグリシン、サルコシン、フィナステリド、デュタステリド、イゾンステリド、ツロステリドおよびこれらの塩によって形成される群から選択されるが、これらに限定されない。
【００４３】
同様に、別の特定の実施形態では、リジル−および／またはプロリルヒドロキシラーゼ阻害剤は、例えば、とりわけ、２，４−ジアミノピリミジン３−オキシドまたは２，４−ジアミノ−６−ピペリジノピリミジン３−オキシドによって形成される群から選択されるが、これらに限定されない。
【００４４】
別の特定の実施形態では、デフェンシン合成刺激剤は、例えば、とりわけ、アロエ・ベラ（Ａｌｏｅ  Ｖｅｒａ）、ロースト・アマランス（Ｒｏａｓｔ  ａｍａｒａｎｔｈ）、レーマニアス・ラディクス（Ｒｅｈｍａｎｎｉａｓ  ｒａｄｉｘ）、アルニカ、クチナシ、ニンジン、オレンジ、モモ、パイナップル、ミント、リンドウ、ハイビスカス花、クルミの木の葉、ヒョウタン、シャクヤク、キノア、ボルドー（ｂｏｌｄｏ）、ラフバインドウィード（ｒｏｕｇｈ  ｂｉｎｄｗｅｅｄ）、ヒマワリ、エルダーベリー、海藻の抽出物または加水分解物、加水分解コーン、加水分解大豆、加水分解米、バリンならびにその異性体および誘導体、カルシウムおよびその塩、α−ＭＳＨおよびα−ＭＳＨのアミノ酸配列中に含有される断片、ビタミンＡならびにその誘導体および前駆体、ビタミンＤ３およびその誘導体、ジャスモン酸、フマル酸、リンゴ酸、クエン酸、アスコルビン酸、乳酸、酢酸、アジピン酸、酒石酸、ケイ皮酸、グルタミン酸、コハク酸、イヌリン、アルキルグルコシド、ポリ−Ｄ−グルタミン酸、グリシン、Ｌ−メチオニン、Ｌ−アラニン、Ｌ−シトルリン、乳タンパク質、カゼイン、ラクトペルオキシダーゼ、リゾチーム、ポリフェノール、アルキルグルコシド、ラクトバチルス抽出物、フソバクテリウム抽出物または非光合成的および実をつけない糸状細菌、アセチル−グルタミル−メチオニル−アラニル−イソロイシン、アセチル−アルギニル−フェニルグリシル−フェニルグリシンまたはアセチル−アルギニル−６−アミノヘキサノイル−アラニン（Ｌｉｐｏｔｅｃにより市販）によって形成される群から選択されるが、これらに限定されない。
【００４５】
別の特定の実施形態では、殺菌剤および／または静菌剤および／または抗菌剤および／または殺病原菌剤および／または殺真菌剤および／または静真菌剤および／または病原菌阻害剤は、例えば、とりわけ、マクロライド、ピラノシド、カルシウムチャネル遮断薬、例えば（限定はされないが）、シンナリジンおよびジルチアゼム；ホルモン、例えば（限定はされないが）、エストリル（ｅｓｔｒｉｌ）、その類似体またはチロキシンおよび／もしくはその塩、カプリリルグリコール、イミダゾリジニル尿素、メチル４−ヒドロキシベンゾエート［ＩＮＣＩ：メチルパラベン］、エチル４−ヒドロキシベンゾエート［ＩＮＣＩ：エチルパラベン］、プロピル４−ヒドロキシベンゾエート［ＩＮＣＩ：プロピルパラベン］、ブチル４−ヒドロキシベンゾエート［ＩＮＣＩ：ブチルパラベン］、イソブチル４−ヒドロキシベンゾエート［ＩＮＣＩ：イソブチルパラベン］、１，３−ビス（ヒドロキシメチル）−５，５−ジメチルイミダゾリジン−２，４−ジオン［ＩＮＣＩ：ＤＭＤＭヒダントイン］、ベンジル４−ヒドロキシベンゾエート［ＩＮＣＩ：ベンジルパラベン］、ベンジルアルコール、デヒドロ酢酸、安息香酸、ソルビン酸、サリチル酸、ギ酸、プロピオン酸、２−ブロモ−２−ニトロプロパン−１，３−ジオール、３−ｐ−クロロフェノキシ−１，２−プロパノジオール［ＩＮＣＩ：クロルフェネシン］、ジクロロベンジルアルコール、ヨードプロピニルブチルカルバメート、塩化ベンザルコニウム、臭気吸収殺真菌剤（リシノール酸亜鉛など）、シクロデキストリン、塩化ベンゼトニウム、クロルヘキシジン、エタノール、プロパノール、１，３−ブタンジオール、１，２−プロピレングリコール、ウンデシレン酸、デヒドロ酢酸、Ｎ−メチルモルホリンアセトニトリル（ＭＭＡ）、イソプロパノール、メタノール、１，２−ヘキサンジオール、１，２−オクタンジオール、ペンチレングリコール、ラウリン酸グリセリン、カプリル酸グリセリン、カプリン酸グリセリン、過酸化ベンゾイル、グルコン酸クロルヘキシジン、トリクロサンおよびその誘導体、フェノキシエタノール、テルピネン−４−オール、α−テルピネオール、レゾルシノール、スチエマイシン（ｓｔｉｅｍｙｃｉｎ）、エリスロマイシン、ネオマイシン、クリンダマイシンおよびそのエステル、テトラサイクリン、メトロニダゾール、アゼライン酸、トルナフテート、ニスタチン、クロトリマゾール、ケトコナゾール、亜鉛の誘導体（ピリチオン酸またはトリチオン酸亜鉛、酸化亜鉛およびウンデシレン酸亜鉛など）、ピロクトンオラミン、イソチアゾリノン、セレン硫黄、ベンジルヘミホルマール、ホウ酸、ホウ酸ナトリウム、６，６−ジブロモ−４，４−ジクロロ−２，２’−メチレンジフェノール［ＩＮＣＩ：ブロモクロロフェン］、５−ブロモ−５−ニトロ−１，３−ジオキサン、トシルクロルアミドナトリウム［ＩＮＣＩ：クロラミンＴ］、クロロアセトアミド、ｐ−クロロ−ｍ−クレゾール、２−ベンジル−４−クロロフェノール［ＩＮＣＩ：クロロフェン］、ジメチルオキサゾリジン、ドデシルジメチル−２−フェノキシエチルアンモニウムブロミド［ＩＮＣＩ：臭化ドミフェン］、７−エチルビシクロオキサゾリジン、ヘキセチジン、���ルタルアルデヒド、Ｎ−（４−クロロフェニル）−Ｎ−［４−クロロ−３−（トリフルオロメチル）フェニル］−尿素［ＩＮＣＩ：クロフルカルバン］、２−ヒドロキシ−４−イソプロピル−２，４，６−シクロヘプタトリエン−１−オン［ＩＮＣＩ：ヒノキチオール］、イソプロピルメチルフェノール、水銀塩、アルミニウム塩、ナイシン、フェノキシイソプロパノール、ｏ−フェニルフェノール、３−ヘプチル−２−［（３−ヘプチル−４−メチル−３Ｈ−チアゾール−２−イリデン）メチル］−４−メチルチアゾールヨージド［ＩＮＣＩ：クオタニウム−７３］、塩化銀、ヨウ化ナトリウム、チモール、ウンデシレン酸、ジエチレントリアミン五酢酸、エチレンジアミン四酢酸およびエチレンジアミンテトラアセテート、ラクトペルオキシダーゼ、グルコースオキシダーゼ、ラクトフェリン、アルキルアリールスルホネート、ハロゲン化フェノール、フェノール水銀アセテートおよび／またはこれらの混合物、ベンズアミジン、イソチアゾリン、フタルイミドの誘導体、ピリジンの誘導体、グアニジン、キノリン、１，２−ジブロモ−２，４−ジシアノブタン、ヨウ素−２−プロピルブチルカルバメート、ヨウ素、ヨードホール（ｔａｍｅｄ  ｉｏｄｉｎｅ）、ペルオキソ化合物、４−クロロ−３，５−ジメチルフェノール、２，２’−メチレン−ビス（６−ブロモ−４−クロロフェノール）、３−メチル−４−（１−メチルエチル）フェノール、３−（４−クロロフェノキシ）−１，２−プロパンジオール、３，４，４’−トリクロロカルバニリド（ＴＴＣ）、チアミンエッセンス、オイゲノール、ファルネソール、モノラウリン酸グリセリン、ジグリセリンモノカプリネート、Ｎ−アルキルサリチル酸アミド（ｎ−オクチルサリチル酸アミドまたはｎ−デシルサリチル酸アミドなど）、ハロゲン化キシレンおよびクレゾールの誘導体（ｐ−クロロ−メタ−クレゾールまたはｐ−クロロ−メタ−キシレンなど）、アリウム・サティバム（Ａｌｌｉｕｍ  ｓａｔｉｖｕｍ）、カレンデュラ・オフィシナリス（Ｃａｌｅｎｄｕｌａ  ｏｆｆｉｃｉｎａｌｉｓ）、カモミラ・レクチタ（Ｃｈａｍｏｍｉｌｌａ  ｒｅｃｕｔｉｔａ）、エキナセア・プルプラ（Ｅｃｈｉｎａｃｅａ  Ｐｕｒｐｕｒａ）、ヒソプス・オフィシナリス（Ｈｙｓｓｏｐｕｓ  Ｏｆｆｉｃｉｎａｌｉｓ）、メラレウカ・アルテルニフォリア（Ｍｅｌａｌｅｕｃａ  ａｌｔｅｒｎｉｆｏｌｉａ）の抽出物、またはティーツリー油、カーネーションエッセンス、メントールおよびミントエッセンスによって形成される群から選択されるが、これらに限定されない。
【００４６】
同様に、別の特定の実施形態では、ＮＯシンターゼ阻害剤は、例えば、とりわけ、植物のビティス・ヴィニフェラ（Ｖｉｔｉｓ  ｖｉｎｉｆｅｒａ）、オレア・ユーロパエア（Ｏｌｅａ  ｅｕｒｏｐａｅａ）またはギンコ・ビローバ（Ｇｉｎｇｋｏ  ｂｉｌｏｂａ）の抽出物によって形成される群から選択されるが、これらに限定されない。
【００４７】
特定の実施形態では、落屑剤および／または角質溶解剤および／または剥脱剤は、例えば、ヒドロキシ酸およびその誘導体、β−ヒドロキシ酸、特に、サリチル酸およびその誘導体、またはゲンチジン酸；α−ヒドロキシ酸およびその塩（グリコール酸、グリコール酸アンモニウム、乳酸、２−ヒドロキシオクタン酸、α−ヒドロキシカプリル酸、マンデル酸、クエン酸、リンゴ酸または酒石酸など）；α−およびβ−ヒドロキシ酪酸；ポリヒドロキシ酸（グルコン酸、グルクロン酸またはサッカリン酸など）；ケト酸（ピルビン酸、グリオキシル酸など）；ピロリジンカルボン酸；システイン酸および誘導体；アルドビオン酸；アゼライン酸およびその誘導体（アゼロイルジグリシネートなど）；アスコルビン酸およびその誘導体（６−Ｏ−パルミトイルアスコルビン酸、アスコルビルグルコシド、ジパルミトイルアスコルビン酸、アスコルビン酸−２−リン酸のマグネシウム塩（ＭＡＰ）、アスコルビン酸−２−リン酸のナトリウム塩（ＮＡＰ）、テトライソパルミチン酸アスコルビル（ＶＣＩＰ）など）；ニコチン酸、そのエステルおよびニコチンアミド（ビタミンＢ３またはビタミンＰＰとも呼ばれる）；ノルジヒドログアヤレチン酸；尿素；オリゴフコース；ケイ皮酸；ジャスモン酸の誘導体；ヒドロキシスチルベン（リスベラトロールなど）；サッカルム・オフィシナルム（Ｓａｃｃａｒｕｍ  ｏｆｆｉｃｉｎａｒｕｍ）抽出物；コルネオデスモソーム（ｃｏｒｎｅｏｄｅｓｍｏｓｏｍｅ）の落屑または分解に関与する酵素（グリコシダーゼ、角質層キモトリプシン酵素（ＳＣＣＥ）など）または他のプロテアーゼ（トリプシン、キモトリプシン、スチライン、パパインまたはブロメラインなど）；キレート剤（エチレンジアミン四酢酸（ＥＤＴＡ）など）、アミノスルホン酸化合物（４−（２−ヒドロキシエチル）ピペラジン−１−エタンスルホン酸（ＨＥＰＥＳ）など）またはナトリウムメチルグリシンジアセテート（ＴＲＩＬＯＮ（登録商標）Ｍ（ＢＡＳＦにより市販））；２−オキソチアゾリジン−４−カルボン酸（プロシステイン）の誘導体；糖（Ｏ−オクタノイル−６−Ｄ−マルトースおよびＮ−アセチルグルコサミンなど）；クリの実抽出物（カスタネア・サチバ（Ｃａｓｔａｎｅａ  ｓａｔｉｖａ））（名称Ｒｅｃｏｖｅｒｉｎｅ（登録商標）でＳＩＬＡＢにより市販されるもの［ＩＮＣＩ：水、カスタネア・サチバ（Ｃａｓｔａｎｅａ  Ｓａｔｉｖａ）種子抽出物］など）；オプンティア抽出物（オプンティア・フィカス−インディカ（Ｏｐｕｎｔｉａ  ｆｉｃｕｓ−ｉｎｄｉｃａ））（Ｅｘｆｏｌａｃｔｉｖｅ（登録商標）でＳＩＬＡＢにより市販されるもの［ＩＮＣＩ：加水分解オプンティア・フィカス・インディカ（Ｏｐｕｎｔｉａ  Ｆｉｃｕｓ  Ｉｎｄｉｃａ）花抽出物］など）；またはＰｈｙｔｏｓｐｈｉｎｇｏｓｉｎｅ  ＳＬＣ（登録商標）［ＩＮＣＩ：サリチロイルフィトスフィンゴシン］（Ｄｅｇｕｓｓａ／Ｅｖｏｎｉｋにより市販）、Ｐｅｅｌ−Ｍｏｉｓｔ［ＩＮＣＩ：グリセリン、パパイン、カルシウムパントテネート、キサンタンゴム、カプリリルグリコール、尿素、乳酸マグネシウム、エチルヘキシルグリセリン、乳酸カリウム、セリン、アラニン、プロリン、塩化マグネシウム、塩化ナトリウム］；サフォラ・ジャポニカ（Ｓａｐｈｏｒａ  ｊａｐｏｎｉｃａ）、パパイヤ、パイナップル、カボチャまたはヤムイモ抽出物または抽出物の組み合わせ、および／またはこれらの混合物によって形成される群から選択されるが、これらに限定されない。
【００４８】
別の特定の実施形態では、抗炎症剤および／または鎮痛剤は、例えば、マデカソシド（ｍａｄｅｃａｓｓｏｓｉｄｅ）抽出物、エキナセア抽出物、アマランス種子油、サンダルウッド油、桃の木の葉抽出物、アロエ・ベラ（Ａｌｏｅ  ｖｅｒａ）、アルニカ・モンタナ（Ａｒｎｉｃａ  ｍｏｎｔａｎａ）、アルテミシア・ブルガリス（Ａｒｔｅｍｉｓｉａ  ｖｕｌｇａｒｉｓ）、アサルム・マキシマム（Ａｓａｒｕｍ  ｍａｘｉｍｕｍ）、カレンデュラ・オフィシナリス（Ｃａｌｅｎｄｕｌａ  ｏｆｆｉｃｉｎａｌｉｓ）、トウガラシ、センティペダ・クンニンガミイ（Ｃｅｎｔｉｐｅｄａ  ｃｕｎｎｉｎｇｈａｍｉｉ）、カモミラ・レクチタ（Ｃｈａｍｏｍｉｌｌａ  ｒｅｃｕｔｉｔａ）、クリナム・アジアティクム（Ｃｒｉｎｕｍ  ａｓｉａｔｉｃｕｍ）、ハマメリス・バージニアナ（Ｈａｍａｍｅｌｉｓ  ｖｉｒｇｉｎｉａｎａ）、ハルパゴフィツム・プロカンベンス（Ｈａｒｐａｇｏｐｈｙｔｕｍ  ｐｒｏｃｕｍｂｅｎｓ）、ハイペリカム・パーフォラタム（Ｈｙｐｅｒｉｃｕｍ  ｐｅｒｆｏｒａｔｕｍ）、リリウム・カンディダム（Ｌｉｌｉｕｍ  ｃａｎｄｉｄｕｍ）、マルバ・シルベストリス（Ｍａｌｖａ  ｓｙｌｖｅｓｔｒｉｓ）、メラレウカ・アルテルニフォリア（Ｍｅｌａｌｅｕｃａ  ａｌｔｅｒｎｉｆｏｌｉａ）、オリガヌム・マジョラナ（Ｏｒｉｇａｎｕｍ  ｍａｊｏｒａｎａ）、オリガヌム・ブルガレ（Ｏｒｉｇａｎｕｍ  ｖｕｌｇａｒｅ）、プルヌス・ラウロセラサス（Ｐｒｕｎｕｓ  ｌａｕｒｏｃｅｒａｓｕｓ）、ロスマリヌス・オフィシナリス（Ｒｏｓｍａｒｉｎｕｓ  ｏｆｆｉｃｉａｌｉｓ）、サリクス・アルバ（Ｓａｌｉｘ  ａｌｂａ）、シリバム・マリアナム（Ｓｉｌｙｂｕｍ  ｍａｒｉａｎｕｍ）、タナセツム・パルテニウム（Ｔａｎａｃｅｔｕｍ  ｐａｒｔｈｅｎｉｕｍ）、チムス・ブルガリス（Ｔｈｙｍｕｓ  ｖｕｌｇａｒｉｓ）、ウンカリア・ギアネンシス（Ｕｎｃａｒｉａ  ｇｕｉａｎｅｎｓｉｓ）またはバクシヌム・ミルティルス（Ｖａｃｃｉｎｕｍ  ｍｙｒｔｉｌｌｕｓ）の抽出物、フロ酸モメタゾン、プレドニゾロン、非ステロイド系抗炎症剤（シクロオキシゲナーゼまたはリポキシゲナーゼ阻害剤を含む）、ベンジダミン、アセチルサリチル酸、ロスマリン酸、ウルソール酸、グリチルリチン酸の誘導体、α−ビサボロール、アズレンおよび類似体、セリコシド、ルスコゲニン、エスチン、スコリン、ルチンおよび類似体、ヒドロコルチゾン、クロベタゾール、デキサメタゾン、プレドニゾン、パラセタモール、アモキシプリン（ａｍｏｘｉｐｒｉｎ）、ベノリラート、サリチル酸コリン、ファイスラミン（ｆａｉｓｌａｍｉｎｅ）、サリチル酸メチル、サリチル酸マグネシウム、サルサラート、ジクロフェナク、アセクロフェナク、アセメタシン、ブロムフェナク、エトドラク、インドメタシン、オキサメタシン（ｏｘａｍｅｔｈａｃｉｎ）、プログルメタシン、スリンダク、トルメチン、イブプロフェン、デクスイブプロフェン、カプロフェン、フェンブフェン、フェノプロフェン、フルルビプロフェン、ケトプロフェン、デクスケトプロフェン、ケトロラク、ロキソプロフェン、ナプロキセン、ミロプロフェン（ｍｉｒｏｐｒｏｆｅｎ）、オキサプロジン、プラノプロフェン、チアプロ���ェン酸、スプロフェン、メフェナム酸、メクロフェナメート（ｍｅｃｌｏｆｅｎａｍａｔｅ）、メクロフェナム酸、フルフェナム酸、トルフェナム酸、ナブメトン、フェニルブタゾン、アザプロパゾン、クロフェゾン、ケブゾン、メタミゾール、モフェブタゾン、オキシフェンブタゾン、フェナゾン、スルフィンピラゾン、ピロキシカム、ロルノキシカム、メロキシカム、テノキシカム、セレコキシブ、エトリコキシブ、ルミラコキシブ、パレコキシブ、ロフェコキシブ、バルデコキシブ、ニメスリド、ナプロキシノド、フルプロクアゾン（ｆｌｕｐｒｏｑｕａｚｏｎｅ）またはリコフェロン（ｌｉｃｏｆｅｌｏｎｅ）、ω−３およびω−６脂肪酸、モルヒネ、コデイン、オキシコドン、ヒドロコドン、ジアモルヒネ、ペチジン、トラマドール、ブペノルフィン（ｂｕｐｅｎｏｒｐｈｉｎｅ）、ベンゾカイン、リドカイン、クロロプロカイン、テトラカイン、プロカイン、アミトリプチリン、カルバマゼピン、ガバペンチン、プレガバリン、ビサボロール、Ｎｅｕｔｒａｚｅｎ（商標）［ＩＮＣＩ：水、ブチレングリコール、デキストラン、パルミトイルトリペプチド−８］（Ａｔｒｉｕｍ  Ｉｎｎｏｖａｔｉｏｎｓ／Ｕｎｉｐｅｘ  Ｇｒｏｕｐにより市販）、Ｍｅｌｉｐｒｅｎｅ（登録商標）［ＩＮＣＩ：デキストラン、アセチルヘプタペプチド−１］（Ｉｎｓｔｉｔｕｔ  Ｅｕｒｏｐｅｅｎ  ｄｅ  Ｂｉｏｌｏｇｉｅ  Ｃｅｌｌｕｌａｉｒｅ／Ｕｎｉｐｅｘ  Ｇｒｏｕｐにより市販）、Ｓｋｉｎａｓｅｎｓｙｌ（商標）［ＩＮＣＩ：アセチルテトラペプチド−１５］またはＡｎａｓｅｎｓｙｌ（商標）［ＩＮＣＩ：マンニトール、グリチルリチン酸アンモニウム、カフェイン、ヒポカスタヌム（Ｈｉｐｐｏｃａｓｔａｎｕｍ）（セイヨウトチノキ）抽出物］（Ｌａｂｏｒａｔｏｉｒｅｓ  Ｓｅｒｏｂｉｏｌｏｇｉｑｕｅｓ／Ｃｏｇｎｉｓにより市販）、Ｃａｌｍｏｓｅｎｓｉｎｅ（商標）［ＩＮＣＩ：アセチルジペプチド−１］（Ｓｅｄｅｒｍａにより市販）、補酵素Ｑ１０またはアルキルグリセリンエーテルによって形成される群から選択されるが、これらに限定されない。
【００４９】
さらに、別の特定の実施形態では、美白または脱色剤は、例えば、とりわけ、アキレア・ミレフォリウム（Ａｃｈｉｌｌｅａ  ｍｉｌｌｅｆｏｌｉｕｍ）、アロエ・ベラ（Ａｌｏｅ  ｖｅｒａ）、アラディラクタ・インディカ（Ａｒａｄｉｒａｃｈｔａ  ｉｎｄｉｃａ）、アスムナ・ジャポニカ（Ａｓｍｕｎａ  ｊａｐｏｎｉｃａ）、アウトカルパス・インシスス（Ａｕｔｏｃａｒｐｕｓ  ｉｎｃｉｓｕｓ）、ビデンス・ピローサ（Ｂｉｄｅｎｓ  ｐｉｌｏｓａ）、ブロウソネティア・パピリフェラ（Ｂｒｏｕｓｓｏｎｅｔｉａ  ｐａｐｙｒｉｆｅｒａ）、クロレラ・ブルガリス（Ｃｈｌｏｒｅｌｌａ  ｖｕｌｇａｒｉｓ）、シミシフガ・ラセモーサ（Ｃｉｍｉｃｉｆｕｇａ  ｒａｃｅｍｏｓａ）、エンブリカ・オフィシナリス（Ｅｍｂｌｉｃａ  ｏｆｆｉｃｉｎａｌｉｓ）、グリシリザ・グラブラ（Ｇｌｙｃｙｒｒｈｉｚａ  ｇｌａｂｒａ）、グリシリザ・ウラレンシス（Ｇｌｙｃｙｒｒｈｉｚａ  ｕｒａｌｅｎｓｉｓ）、イレクス・プルプレア（Ｉｌｅｘ  ｐｕｒｐｕｒｅａ）、リグスチクム・ルシダム（Ｌｉｇｕｓｔｉｃｕｍ  ｌｕｃｉｄｕｍ）、リグスチクム・ワリチイ（Ｌｉｇｕｓｔｉｃｕｍ  ｗａｌｌｉｃｈｉｉ）、ミトラカーパス・スケーバー（Ｍｉｔｒａｃａｒｐｕｓ  ｓｃａｂｅｒ）、モリンダ・シトリフォリア（Ｍｏｒｉｎｄａ  ｃｉｔｒｉｆｏｌｉａ）、モルス・アルバ（Ｍｏｒｕｓ  ａｌｂａ）、モルス・ボムビシス（Ｍｏｒｕｓ  ｂｏｍｂｙｃｉｓ）、ナリンギ・クレヌラタ（Ｎａｒｉｎｇｉ  ｃｒｅｎｕｌａｔａ）、プルヌス・ドメスティカ（Ｐｒｕｎｕｓ  ｄｏｍｅｓｔｉｃｕｓ）、シュードステラリアエ・ラディクス（Ｐｓｅｕｄｏｓｔｅｌｌａｒｉａｅ  ｒａｄｉｘ）、ルメクス・クリスプス（Ｒｕｍｅｘ  ｃｒｉｓｐｕｓ）、ルメクス・オシデンタリス（Ｒｕｍｅｘ  ｏｃｃｉｄｅｎｔａｌｉｓ）、サピンドゥス・ムコロッシ（Ｓａｐｉｎｄｕｓ  ｍｕｋｕｒｏｓｓｉ）、サキシフラギア・サルメントサ（Ｓａｘｉｆｒａｇｉａ  ｓａｒｍｅｎｔｏｓａ）、スクテラリア・ガレリクラテ（Ｓｃｕｔｅｌｌａｒｉａ  Ｇａｌｅｒｉｃｕｌａｔｅ）、セダム・サルメントスム・ブンゲ（Ｓｅｄｕｍ  ｓａｒｍｅｎｔｏｓｕｍ  Ｂｕｎｇｅ）、ステラリア・メディカ（Ｓｔｅｌｌａｒｉａ  ｍｅｄｉｃａ）、トリチカム・ブルガレ（Ｔｒｉｔｉｃｕｍ  Ｖｕｌｇａｒｅ）、ウバ・ウルシ（Ｕｖａ  ｕｒｓｉ）またはホワイタニア・ソムニフェラ（Ｗｈｉｔａｎｉａ  ｓｏｍｎｉｆｅｒａ）の抽出物、フラボノイド、大豆抽出物、レモン抽出物、オレンジ抽出物、イチョウ抽出物、キュウリ抽出物、ゼラニウム抽出物、ガユバ（ｇａｙｕｂａ）抽出物、イナゴマメ抽出物、シナモン抽出物、マジョラム抽出物、ローズマリー抽出物、クローブ抽出物、可溶性カンゾウ抽出物またはブラックベリー葉抽出物、Ｌｉｐｏｃｈｒｏｍａｎ−６［ＩＮＣＩ：ジメチルメトキシクロマノール］またはＣｈｒｏｍａｂｒｉｇｈｔ（商標）［ＩＮＣＩ：ジメチルメトキシクロマニルパルミテート］（Ｌｉｐｏｔｅｃにより市販）、Ａｃｔｉｗｈｉｔｅ（商標）ＬＳ９８０８［ＩＮＣＩ：水、グリセリン、ジラウリン酸スクロース、ポリソルベート２０、ピスム・サティヴム（Ｐｉｓｕｍ  ｓａｔｉｖｕｍ）（エンドウ豆）抽出物］またはＤｅｒ���ａｗｈｉｔｅ（登録商標）ＮＦ  ＬＳ９４１０［ＩＮＣＩ：マンニトール、アルギニンＨＣｌ、フェニルアラニン、ＥＤＴＡ二ナトリウム、クエン酸ナトリウム、コウジ酸、クエン酸、酵母抽出物］（Ｌａｂｏｒａｔｏｉｒｅｓ  Ｓｅｒｏｂｉｏｌｏｇｉｑｕｅｓ／Ｃｏｇｎｉｓにより市販）、Ｌｕｍｉｓｋｉｎ（商標）［ＩＮＣＩ：カプリル酸／カプリン酸トリグリセリド、ジアセチル−ボルジン］、Ｍｅｌａｃｌｅａｒ（商標）［ＩＮＣＩ：グリセリン、水、ジチアオクタンジオール、グルコン酸、スチライン、β−カロテン］、Ｏ．Ｄ．Ａ．ｗｈｉｔｅ（商標）［ＩＮＣＩ：オクタデセン二酸］またはＥｔｉｏｌｉｎｅ（商標）［ＩＮＣＩ：グリセリン、ブチレングリコール、アルクトスタフィロス・ウバ・ウルシ（Ａｒｃｔｏｓｔａｐｈｙｌｏｓ  ｕｖａ  ｕｒｓｉ）葉抽出物、ミトラカーパス・スケーバー（Ｍｉｔｒａｃａｒｐｕｓ  ｓｃａｂｅｒ）抽出物］（Ｓｅｄｅｒｍａにより市販）、Ｓｅｐｉｗｈｉｔｅ（商標）ＭＳＨ［ＩＮＣＩ：ウンデシレノイルフェニルアラニン］（ＳＥＰＰＩＣにより市販）、Ａｃｈｒｏｍａｘｙｌ［ＩＮＣＩ：水、ブラシカ・ナパス（Ｂｒａｓｓｉｃａ  ｎａｐｕｓ）抽出物］（Ｖｉｎｃｉｅｎｃｅにより市販）、Ｇｉｇａｗｈｉｔｅ（商標）［ＩＮＣＩ：水、グリセリン、マルバ・シルベストリス（Ｍａｌｖａ  ｓｙｌｖｅｓｔｒｉｓ）（ゼニアオイ）抽出物、メンタ・ピペリタ（Ｍｅｎｔｈａ  ｐｉｐｅｒｉｔａ）葉抽出物、プリムラ・ベリス（Ｐｒｉｍｕｌａ  ｖｅｒｉｓ）抽出物、アルケミラ・ブルガリス（Ａｌｃｈｅｍｉｌｌａ  ｖｕｌｇａｒｉｓ）抽出物、ベロニカ・オフィシナリス（Ｖｅｒｏｎｉｃａ  ｏｆｆｉｃｉｎａｌｉｓ）抽出物、メリッサ  オフィシナリス（Ｍｅｌｉｓｓａ  ｏｆｆｉｃｉｎａｌｉｓ）葉抽出物、アキレア・ミレフォリウム（Ａｃｈｉｌｌｅａ  ｍｉｌｌｅｆｏｌｉｕｍ）抽出物］、Ｍｅｌａｗｈｉｔｅ（登録商標）［ＩＮＣＩ：白血球抽出物、ＡＨＡ］またはＭｅｌｆａｄｅ（登録商標）−Ｊ［ＩＮＣＩ：水、アルクトスタフィロス・ウバ・ウルシ（Ａｒｃｔｏｓｔａｐｈｙｌｏｓ  ｕｖａ−ｕｒｓｉ）葉抽出物、グリセリン、リン酸アスコルビルマグネシウム］（Ｐｅｎｔａｐｈａｒｍにより市販）、Ａｌｂａｔｉｎ（登録商標）［ＩＮＣＩ：アミノエチルリン酸、ブチレングリコール、水］（Ｅｘｓｙｍｏｌにより市販）、Ｔｙｒｏｓｔａｔ（商標）−１１［ＩＮＣＩ：水、グリセリン、ルメクス・オシデンタリス（Ｒｕｍｅｘ  ｏｃｃｉｄｅｎｔａｌｉｓ）抽出物］またはＭｅｌａｎｏｓｔａｔｉｎｅ（登録商標）−５［ＩＮＣＩ：デキストラン、ノナペプチド−１］（Ａｔｒｉｕｍ  Ｉｎｎｏｖａｔｉｏｎｓにより市販）、アルブチンおよびその異性体、コウジ酸およびその誘導体、アスコルビン酸およびその誘導体（６−Ｏ−パルミトイルアスコルビン酸、アスコルビルグルコシド、ジパルミトイルアスコルビン酸、アスコルビン酸−２−リン酸マグネシウム塩（ＭＡＰ）、アスコルビン酸−２−リン酸ナトリウム塩（ＮＡＰ）、アスコルビルグルコシドまたはテトライソパルミチン酸アスコルビル（ＶＣＩＰ）など）；レチノールおよびその誘導体（トレチノインおよびイソトレチノインを含む）、イデベノン、ヒドロキシ安息香酸およびそ���誘導体、ナイアシンアミド、リクイリチン、レゾルシノールおよびその誘導体、ヒドロキノン、α−トコフェロール、γ−トコフェロール、アゼライン酸、アゼロイルジグリシネート、リスベラトロール、リノール酸、α−リポ酸、ジヒドロリポ酸、α−ヒドロキシ酸、β−ヒドロキシ酸、エラグ酸、フェルラ酸、ケイ皮酸、オレアノール酸、アロエシンおよびその誘導体および／またはセリンプロテアーゼ阻害剤、例えば（限定はされないが）、トリプターゼ、トリプシンまたはＰＡＲ−２阻害剤によって形成される群から選択されるが、これらに限定されない。
【００５０】
別の特定の実施形態では、メラニン合成刺激剤、着色促進剤、セルフタンニング剤および／またはメラノサイト増殖刺激剤は、例えば、とりわけ、シトラス・オーランティアム・ダルシス（Ｃｉｔｒｕｓ  Ａｕｒａｎｔｉｕｍ  Ｄｕｌｃｉｓ）果実、コレウス・フォルスコリ（Ｃｏｌｅｕｓ  ｆｏｒｓｋｏｈｌｉｉ）、コリウス・エスキロリ（Ｃｏｌｅｕｓ  Ｅｓｑｕｉｒｏｌｉｉ）、コレウス・スクテラリオデス（Ｃｏｌｅｕｓ  Ｓｃｕｔｅｌｌａｒｉｏｄｅｓ）、コレウス・キサンタンタス（Ｃｏｌｅｕｓ  Ｘａｎｔｈａｎｔｈｕｓ）、バロタ・ニグラ（Ｂａｌｌｏｔａ  ｎｉｇｒａ）、バロタ・ラナタ（Ｂａｌｌｏｔａ  ｌａｎａｔａ）、バロタ・スアベレンス（Ｂａｌｌｏｔａ  ｓｕａｖｅｌｅｎｓ）、マルビウム・シレネウム（Ｍａｒｒｕｂｉｕｍ  ｃｙｌｌｅｎｅｕｍ）、シスタス・クレチクス（Ｃｉｓｔｕｓ  ｃｒｅｔｉｃｕｓ）、アンフィアキリス・アモエナ（Ａｍｐｈｉａｃｈｙｒｉｓ  ａｍｏｅｎａ）、アスター・オハライ（Ａｓｔｅｒ  ｏｈａｒａ）、オトステギア・フルティコサ（Ｏｔｏｓｔｅｇｉａ  ｆｒｕｔｉｃｏｓａ）、プレクトランサス・バルバツス（Ｐｌｅｃｔｒａｎｔｈｕｓ  ｂａｒｂａｔｕｓ）、ハリミウム・ビスコスム（Ｈａｌｉｍｉｕｍ  ｖｉｓｃｏｓｕｍ）またはラリクス・ラリセマ（Ｌａｒｉｘ  ｌａｒｉｃｅｍａ）の抽出物、ジヒドロキシアセトンおよびその誘導体、糖、例えば（限定はされないが）、エリトルロース、メラニンおよびその誘導体（メラニンポリマーおよび低分子量を有する水溶性のメラニンの誘導体を含む）、ホルスコリンおよびその誘導体（デアセチルホルスコリンおよびイソホルスコリンを含む）、チロシンおよびその誘導体（アセチルチロシン、オレオイルチロシン、３−アミノチロシンおよび３−ニトロチロシンを含む）、銅塩（ＣｕＣｌ２など）、カロテノイド、カンタキサンチン、ジヒドロキシインドールカルボン酸のポリマー、３，４−ジヒドロキシ安息香酸、３−アミノ−４−ヒドロキシ安息香酸、アロイン、エモジン、アリザリン、ジヒドロキシフェニルアラニン、４，５−ジヒドロキシナフタレン−２−スルホン酸、３−ジメチルアミノフェノールまたはｐ−アミノ安息香酸、Ｍｅｌａｔｉｍｅ（商標）［ＩＮＣＩ：アセチルトリペプチド−４０］（Ｌｉｐｏｔｅｃにより市販）、Ｈｅｌｉｏｓｔａｔｉｎｅ  ＩＳ（商標）［ＩＮＣＩ：ピスム・サティヴム（Ｐｉｓｕｍ  Ｓａｔｉｖｕｍ）抽出物］（Ｖｉｎｃｉｅｎｃｅ／ＩＳＰにより市販）、Ｖｅｇｅｔａｎ［ＩＮＣＩ：ジヒドロキシアセトン］またはＶｅｇｅｔａｎ  Ｐｒｅｍｉｕｍ［ＩＮＣＩ：ジヒドロキシアセトン、メラニン］（Ｓｏｌｉａｎｃｅにより市販）、ＭｅｌａｎｏＢｒｏｎｚｅ［ＩＮＣＩ：ビテックス・アグヌス・カスツス（Ｖｉｔｅｘ  Ａｇｎｕｓ  Ｃａｓｔｕｓ）抽出物、アセチルチロシン］（Ｍｉｂｅｌｌｅ  Ｂｉｏｃｈｅｍｉｓｔｒｙにより市販）、Ｍｅｌｉｔａｎｅ（登録商標）［ＩＮＣＩ：アセチルヘキサペプチド−１］（Ｉｎｓｔｉｔｕｔ  Ｅｕｒｏｐｅｅｎ  ｄｅ  Ｂｉｏｌｏｇｉｅ  Ｃｅｌｌｕｌａｉｒｅ／Ｕｎｉｐｅｘ  Ｉｎｎｏｖａｔｉｏｎｓにより市販）、Ａｃｔｉｂｒｏｎｚｅ（登録商標）［ＩＮＣＩ：加水分解小麦タンパク質、アセチルチロシン、グルコ���酸銅］またはＩｎｓｔａｂｒｏｎｚｅ（登録商標）［ＩＮＣＩ：ジヒドロキシアセトン、チロシン］（Ａｌｂａｎ  Ｍｕｌｌｅｒにより市販）、Ｔｈａｌｉｔａｎ［ＩＮＣＩ：加水分解アルギン、硫酸マグネシウム、硫酸マンガン］（ＣＯＤＩＦにより市販）、Ｔｙｒｏｓｉｌａｎｅ（登録商標）［ＩＮＣＩ：メチルシラノールアセチルチロシン］（Ｅｘｓｙｍｏｌにより市販）、Ｔｙｒ−Ｅｘｃｅｌ（商標）［ＩＮＣＩ：オレオイルチロシン、ルファ・シリンドリカ（Ｌｕｆｆａ  Ｃｙｌｉｎｄｒｉｃａ）種子油、オレイン酸］またはＴｙｒ−Ｏｌ［ＩＮＣＩ：オレオイルチロシン、ブチレングリコール、オレイン酸］（Ｓｅｄｅｒｍａ／Ｃｒｏｄａにより市販）、Ｂｒｏｎｚｉｎｇ  Ｓ．Ｆ．［提案されたＩＮＣＩ：ブチリルペンタペプチド］（Ｉｎｆｉｎｉｔｅｃ  Ａｃｔｉｖｏｓにより市販）またはＢｉｏｔａｎｎｉｎｇ（登録商標）［ＩＮＣＩ：加水分解シトラス・オーランティアム・ダルシス（Ｃｉｔｒｕｓ  Ａｕｒａｎｔｉｕｍ  Ｄｕｌｃｉｓ）果実抽出物］（Ｓｉｌａｂにより市販）によって形成される群から選択されるが、これらに限定されない。
【００５１】
特定の実施形態では、しわ防止および／または老化防止剤は、例えば、とりわけ、ビティス・ヴィニフェラ（Ｖｉｔｉｓ  ｖｉｎｉｆｅｒａ）、ロサ・カニーナ（Ｒｏｓａ  ｃａｎｉｎａ）、クルクマ・ロンガ（Ｃｕｒｃｕｍａ  ｌｏｎｇａ）、イリス・パリーダ（Ｉｒｉｓ  ｐａｌｌｉｄａ）、テオブロマ・カカオ（Ｔｈｅｏｂｒｏｍａ  ｃａｃａｏ）、ギンコ・ビローバ（Ｇｉｎｋｇｏ  Ｂｉｌｏｂａ）、レオントポンディウム・アルピナム（Ｌｅｏｎｔｏｐｏｄｉｕｍ  Ａｌｐｉｎｕｍ）またはドナリエラ・サリナ（Ｄｕｎａｌｉｅｌｌａ  ｓａｌｉｎａ）の抽出物、Ｍａｔｒｉｘｙｌ（登録商標）［ＩＮＣＩ：パルミトイルペンタペプチド−４］、Ｍａｔｒｉｘｙｌ  ３０００（登録商標）［ＩＮＣＩ：パルミトイルテトラペプチド−７、パルミトイルオリゴペプチド］、Ｅｓｓｅｎｓｋｉｎ（商標）［ＩＮＣＩ：カルシウムヒドロキシメチオニン］、Ｒｅｎｏｖａｇｅ［ＩＮＣＩ：テプレノン］またはＤｅｒｍａｘｙｌ（登録商標）［ＩＮＣＩ：パルミトイルオリゴペプチド］（Ｓｅｄｅｒｍａにより市販）、Ｖｉａｌｏｘ（登録商標）［ＩＮＣＩ：ペンタペプチド−３］、Ｓｙｎ（登録商標）−Ａｋｅ（登録商標）［ＩＮＣＩ：ジ酢酸ジペプチドジアミノブチロイルベンジルアミド］、Ｓｙｎ（登録商標）−Ｃｏｌｌ［ＩＮＣＩ：パルミトイルトリペプチド−５］、Ｐｈｙｔａｌｕｒｏｎａｔｅ［ＩＮＣＩ：イナゴマメ（セラトニア・シリクア（Ｃｅｒａｔｏｎｉａ  Ｓｉｌｉｑｕａ）ゴム］またはＰｒｅｒｅｇｅｎ（登録商標）［ＩＮＣＩ：グリシン・ソヤ（Ｇｌｙｃｉｎｅ  Ｓｏｊａ）（大豆）タンパク質、オキシドレダクターゼ］（Ｐｅｎｔａｐｈａｒｍ／ＤＳＭにより市販）、Ｍｙｏｘｉｎｏｌ（商標）［ＩＮＣＩ：加水分解ハイビスカス・エスクレンタス（Ｈｉｂｉｓｃｕｓ  Ｅｓｃｕｌｅｎｔｕｓ）抽出物］、Ｓｙｎｉｏｒａｇｅ（商標）［ＩＮＣＩ：アセチルテトラペプチド−１１］、Ｄｅｒｍｉｃａｎ（商標）［ＩＮＣＩ：アセチルテトラペプチド−９］またはＤＮ−ＡＧＥ（商標）ＬＳ［ＩＮＣＩ：カッシア・アラタ（Ｃａｓｓｉａ  Ａｌａｔａ）葉抽出物］（Ｌａｂｏｒａｔｏｉｒｅｓ  Ｓｅｒｏｂｉｏｌｏｇｉｑｕｅｓ／Ｃｏｇｎｉｓにより市販）、Ａｌｇｉｓｕｍ  Ｃ（登録商標）［ＩＮＣＩ：マンヌロン酸メチルシラノール］またはＨｙｄｒｏｘｙｐｒｏｌｉｓｉｌａｎｅ  ＣＮ（登録商標）［ＩＮＣＩ：アスパラギン酸メチルシラノールヒドロキシプロリン］（Ｅｘｓｙｍｏｌにより市販）、Ａｒｇｉｒｅｌｉｎｅ（登録商標）［ＩＮＣＩ：アセチルヘキサペプチド−８］、ＳＮＡＰ−７［ＩＮＣＩ：アセチルヘプタペプチド−４］、ＳＮＡＰ−８［ＩＮＣＩ：アセチルオクタペプチド−３］、Ｌｅｕｐｈａｓｙｌ（登録商標）［ＩＮＣＩ：ペンタペプチド−１８］、Ａｌｄｅｎｉｎｅ（登録商標）［ＩＮＣＩ：加水分解小麦タンパク質、加水分解大豆タンパク質、トリペプチド−１］、Ｐｒｅｖｅｎｔｈｅｌｉａ（商標）［ＩＮＣＩ：ジアミノプロピオノイルトリペプチド−３３］、Ｄｅｃｏｒｉｎｙｌ（商標）［ＩＮＣＩ：トリペプチド−１０シトルリン］、Ｔｒｙｌａｇｅｎ（登録商標）［ＩＮＣＩ：シュードアルテロモナス属発酵抽出物、加水分解小麦タンパク質、加水分解大豆タンパク質、���リペプチド−１０シトルリン、トリペプチド−１］、Ｅｙｅｓｅｒｙｌ（登録商標）［ＩＮＣＩ：アセチルテトラペプチド−５］、ペプチドＡＣ２９［ＩＮＣＩ：アセチルトリペプチド−３０シトルリン］、Ｌｉｐｏｃｈｒｏｍａｎ−６［ＩＮＣＩ：ジメチルメトキシクロマノール］、Ｃｈｒｏｍａｂｒｉｇｈｔ（商標）［ＩＮＣＩ：ジメチルメトキシクロマニルパルミテート］、Ａｎｔａｒｃｔｉｃｉｎｅ（登録商標）［ＩＮＣＩ：シュードアルテロモナス属発酵抽出物］、Ｖｉｌａｓｔｅｎｅ（商標）［ＩＮＣＩ：リジンＨＣｌ、レシチン、トリペプチド−１０シトルリン］、ｄＧｌｙａｇｅ（商標）［ＩＮＣＩ：リジンＨＣｌ、レシチン、トリペプチド−９シトルリン］、アセチル−アルギニル−フェニルグリシル−トリプトフィル−フェニルグリシン、アセチル−アルギニル−フェニルグリシル−バリル−グリシンまたはアセチル−アルギニル−フェニルグリシル−バリル−フェニルグリシン、Ｉｎｙｌｉｎｅ（商標）［ＩＮＣＩ：アセチルヘキサペプチド−３０］（Ｌｉｐｏｔｅｃにより市販）、Ｋｏｌｌａｒｅｎ（登録商標）［ＩＮＣＩ：トリペプチド−１、デキストラン］（Ｉｎｓｔｉｔｕｔ  Ｅｕｒｏｐｅｅｎ  ｄｅ  Ｂｉｏｌｏｇｉｅ  Ｃｅｌｌｕｌａｉｒｅにより市販）、Ｃｏｌｌａｘｙｌ（登録商標）ＩＳ［ＩＮＣＩ：ヘキサペプチド−９］、Ｌａｍｉｎｉｘｙｌ  ＩＳ（商標）［ＩＮＣＩ：ヘプタペプチド］、Ｏｒｓｉｒｔｉｎｅ（商標）ＧＬ［ＩＮＣＩ：オリザ・サティバ（Ｏｒｙｚａ  Ｓａｔｉｖａ）（米）抽出物］、Ｄ’Ｏｒｉｅｎｔｉｎｅ（商標）ＩＳ［ＩＮＣＩ：フォエニクス・ダクチリフェラ（Ｐｈｏｅｎｉｘ  Ｄａｃｔｙｌｉｆｅｒａ）（ナツメヤシ）種子抽出物］、Ｐｈｙｔｏｑｕｉｎｔｅｓｃｉｎｅ（商標）［ＩＮＣＩ：ヒトツブコムギ（トリチカム・モノコッカム（Ｔｒｉｔｉｃｕｍ  Ｍｏｎｏｃｏｃｃｕｍ））抽出物］またはＱｕｉｎｔｅｓｃｉｎｅ（商標）ＩＳ［ＩＮＣＩ：ジペプチド−４］（Ｖｉｎｃｉｅｎｃｅ／ＩＳＰにより市販）、ＢＯＮＴ−Ｌ−ペプチド［ＩＮＣＩ：パルミトイルヘキサペプチド−１９］（Ｉｎｆｉｎｉｔｅｃ  Ａｃｔｉｖｏｓにより市販）、Ｄｅｅｐａｌｉｎｅ（商標）ＰＶＢ［ＩＮＣＩ：パルミトイル加水分解小麦タンパク質］またはＳｅｐｉｌｉｆｔ（登録商標）ＤＰＨＰ［ＩＮＣＩ：ジパルミトイルヒドロキシプロリン］（Ｓｅｐｐｉｃにより市販）、Ｇａｔｕｌｉｎｅ（登録商標）Ｅｘｐｒｅｓｓｉｏｎ［ＩＮＣＩ：アクメラ・オレラセア（Ａｃｍｅｌｌａ  ｏｌｅｒａｃｅａ）抽出物］、Ｇａｔｕｌｉｎｅ（登録商標）Ｉｎ−Ｔｅｎｓｅ［ＩＮＣＩ：スピランテス・アクメラ（Ｓｐｉｌａｎｔｈｅｓ  Ａｃｍｅｌｌａ）花抽出物］またはＧａｔｕｌｉｎｅ（登録商標）Ａｇｅ  Ｄｅｆｅｎｓｅ  ２［ＩＮＣＩ：ジャグランス・レギア（Ｊｕｇｌａｎｓ  Ｒｅｇｉａ）（クルミ）種子抽出物］（Ｇａｔｔｅｆｏｓｓｅにより市販）、Ｔｈａｌａｓｓｉｎｅ（商標）［ＩＮＣＩ：藻類抽出物］（Ｂｉｏｔｅｃｈｍａｒｉｎｅにより市販）、ＣｈｒｏＮＯｌｉｎｅ（商標）［ＩＮＣＩ：カプロオイルテトラペプチド−３］またはＴｈｙｍｕｌｅｎ−４［ＩＮＣＩ：アセチルテトラペプチド−２］（Ａｔｒｉｕｍ  Ｉｎｎｏｖａｔｉｏｎｓ／Ｕｎｉｐｅｘ  Ｇ��ｏｕｐにより市販）、ＥｑｕｉＳｔａｔ［ＩＮＣＩ：ピルス・マルス（Ｐｙｒｕｓ  Ｍａｌｕｓ）果実抽出物、グリシン・ソヤ（Ｇｌｙｃｉｎｅ  Ｓｏｊａ）種子抽出物］またはＪｕｖｅｎｅｓｃｅ［ＩＮＣＩ：エトキシジグリコールおよびカプリル酸トリグリセリド、レチノール、ウルソール酸、フィトナジオン、イロマスタット］（Ｃｏｌｅｔｉｃａにより市販）、Ａｍｅｌｉｏｘ［ＩＮＣＩ：カルノシン、トコフェロール、シリバム・マリアナム（Ｓｉｌｙｂｕｍ  Ｍａｒｉａｎｕｍ）果実抽出物］またはＰｈｙｔｏＣｅｌｌＴｅｃ  Ｍａｌｕｓ  Ｄｏｍｅｓｔｉｃａ［ＩＮＣＩ：マルス・ドメスティカ（Ｍａｌｕｓ  Ｄｏｍｅｓｔｉｃａ）果実細胞培養物］（Ｍｉｂｅｌｌｅ  Ｂｉｏｃｈｅｍｉｓｔｒｙにより市販）、Ｂｉｏｘｉｌｉｆｔ［ＩＮＣＩ：ピムピネルラ・アニスム（Ｐｉｍｐｉｎｅｌｌａ  Ａｎｉｓｕｍ）抽出物］またはＳＭＳ  Ａｎｔｉ−Ｗｒｉｎｋｌｅ（登録商標）［ＩＮＣＩ：アンノナ・スクアモサ（Ａｎｎｏｎａ  Ｓｑｕａｍｏｓａ）種子抽出物］（Ｓｉｌａｂにより市販）、Ｃａ２＋チャネル遮断薬、例えば（限定はされないが）、アルベリン、マンガンまたはマグネシウム塩、特定の第２級または第３級アミン、レチノールおよびその誘導体、リスベラトロール、イデベノン、補酵素Ｑ１０およびその誘導体、ボスウェル酸およびその誘導体、ＧＨＫおよびその誘導体および／または塩、カルノシンおよびその誘導体、ＤＮＡ修復酵素、例えば（限定はされないが）、フォトリアーゼまたはＴ４エンドヌクレアーゼＶ、または塩素イオンチャネル遮断薬によって形成される群から選択されるが、これらに限定されない。
【００５２】
特定の実施形態では、脂肪分解剤または脂肪分解の刺激剤、静脈強壮剤および／または抗セルライト剤は、例えば、とりわけ、ブプレウラム・チネンシス（Ｂｕｐｌｅｕｒｕｍ  Ｃｈｉｎｅｎｓｉｓ）、ケクロピア・オブツシフォリア（Ｃｅｃｒｏｐｉａ  Ｏｂｔｕｓｉｆｏｌｉａ）、ケロシア・クリスタタ（Ｃｅｌｏｓｉａ  Ｃｒｉｓｔａｔａ）、センテラ・アジアチカ（Ｃｅｎｔｅｌｌａ  Ａｓｉａｔｉｃａ）、ケノポジウム・キノア（Ｃｈｅｎｏｐｏｄｉｕｍ  Ｑｕｉｎｏａ）、クリサンテルム・インジクム（Ｃｈｒｙｓａｎｔｈｅｌｌｕｍ  Ｉｎｄｉｃｕｍ）、シトラス・アウランチウム・アマラ（Ｃｉｔｒｕｓ  Ａｕｒａｎｔｉｕｍ  Ａｍａｒａ）、コヒア・アラビカ（Ｃｏｆｆｅａ  Ａｒａｂｉｃａ）、コレウス・フォルスコリ（Ｃｏｌｅｕｓ  Ｆｏｒｓｋｏｈｌｉｉ）、コンミフォラ・ミルラ（Ｃｏｍｍｉｐｈｏｒａ  Ｍｙｒｒｈａ）、クリスマム・マリチマム（Ｃｒｉｔｈｍｕｍ  Ｍａｒｉｔｉｍｕｍ）、ユーゲニア・カリオフィルス（Ｅｕｇｅｎｉａ  Ｃａｒｙｏｐｈｙｌｌｕｓ）、ギンコ・ビローバ（Ｇｉｎｋｇｏ  Ｂｉｌｏｂａ）、ヘデラ・ヘリックス（Ｈｅｄｅｒａ  ｈｅｌｉｘ）（ツタ抽出物）、ハイビスカス  サブダリファ（Ｈｉｂｉｓｃｕｓ  Ｓａｂｄａｒｉｆｆａ）、イレクス・パラグアリエンシス（Ｉｌｅｘ  Ｐａｒａｇｕａｒｉｅｎｓｉｓ）、ラミナリア・ディギタータ（Ｌａｍｉｎａｒｉａ  Ｄｉｇｉｔａｔａ）、ネルンビウム・スペシオスム（Ｎｅｌｕｍｂｉｕｍ  Ｓｐｅｃｉｏｓｕｍ）、パウリニア・クパナ（Ｐａｕｌｌｉｎｉａ  Ｃｕｐａｎａ）、ペウムス・ボルドゥス（Ｐｅｕｍｕｓ  Ｂｏｌｄｕｓ）、フィラカンタ・フィブロサ（Ｐｈｙｌｌａｃａｎｔｈａ  Ｆｉｂｒｏｓａ）、プルネラ・ブルガリス（Ｐｒｕｎｅｌｌａ  Ｖｕｌｇａｒｉｓ）、プルヌス・アミグダラス・デュルシス（Ｐｒｕｎｕｓ  Ａｍｙｇｄａｌｕｓ  Ｄｕｌｃｉｓ）、ルスクス・アクレアツス（Ｒｕｓｃｕｓ  Ａｃｕｌｅａｔｕｓ）（ナギイカダ抽出物）、サムブクス  ニグラ（Ｓａｍｂｕｃｕｓ  Ｎｉｇｒａ）、スピルリナ・プラテンシス（Ｓｐｉｒｕｌｉｎａ  Ｐｌａｔｅｎｓｉｓ）藻類、ウンカリア・トメントサ（Ｕｎｃａｒｉａ  Ｔｏｍｅｎｔｏｓａ）またはベルベナ・オフィシナリス（Ｖｅｒｂｅｎａ  Ｏｆｆｉｃｉｎａｌｉｓ）の抽出物、ジヒドロミリセチン、補酵素Ａ、リパーゼ、グラウシン、エスクリン、ビスナジン、Ｒｅｇｕ（登録商標）−Ｓｈａｐｅ［ＩＮＣＩ：異性化リノール酸、レシチン、グリセリン、ポリソルベート８０］（Ｐｅｎｔａｐｈａｒｍ／ＤＳＭにより市販）、ＵＣＰｅｐｔｉｄｅ（商標）Ｖ［ＩＮＣＩ：ペンタペプチド］またはＡＴ  Ｐｅｐｔｉｄｅ（商標）ＩＳ［ＩＮＣＩ：トリペプチド−３］（Ｖｉｎｃｉｅｎｃｅ／ＩＳＰにより市販）、Ｌｉｐｏｒｅｄｕｃｔｙｌ（登録商標）［ＩＮＣＩ：カフェイン、ナギイカダ（ルスクス・アクレアツス（Ｒｕｓｃｕｓ  Ａｃｕｌｅａｔｕｓ））根抽出物、ＴＥＡ−ヨウ化水素酸塩、カルニチン、ツタ（ヘデラ・ヘリックス（Ｈｅｄｅｒａ  ｈｅｌｉｘ））抽出物、エスチン、トリペプチド−１］（Ｌｉｐｏｔｅｃにより市販）、Ａｄｉｐｏｓｌｉｍ［ＩＮＣＩ：ラウリン酸ソルビタン、ラウロイルプロリン］（ＳＥＰＰＩＣにより市販）、カフ��イン、カルニチン、エスチンおよび／またはヨウ化トリエタノールアミンによって形成される群から選択されるが、これらに限定されない。
【００５３】
特定の実施形態では、熱ショックタンパク質合成刺激剤は、例えば、とりわけ、オプンティア・フィカス・インディカ（Ｏｐｕｎｔｉａ  ｆｉｃｕｓ  ｉｎｄｉｃａ）、サリクス・アルバ（Ｓａｌｉｘ  ａｌｂａ）、ルピナス種、セカレ・セレアレ（Ｓｅｃａｌｅ  ｃｅｒｅａｌｅ）の抽出物、ポルフィラ（Ｐｏｒｐｈｙｒａ）属からの紅藻類の抽出物、アルテミア（Ａｒｔｅｍｉａ）属からの甲殻類の抽出物、ホホバ種子油、ブドウ種子抽出物、緑茶抽出物、ゲラニルゲラニルアセトン、セラストロール、亜鉛およびその塩、２−シクロペンテン−１−オン、プロテアソーム阻害剤、例えば（限定はされないが）、ボルテゾミブ；プロスタグランジンおよびその誘導体、ヒドロキシルアミンおよびその誘導体、例えば（限定はされないが）、ビモクロモール；カルコンおよびその誘導体、高浸透圧剤（ｈｙｐｅｒｏｓｍｏｔｉｃ  ａｇｅｎｔ）、例えば（限定はされないが）、ソルビトールおよびその誘導体、マンニトールおよびその誘導体またはグリセロールおよびその誘導体、イソソルビド、尿素またはサリチル酸およびその誘導体、またはこれらの混合物によって形成される群から選択されるが、これらに限定されない。
【００５４】
特定の実施形態では、発毛誘発剤または脱毛遅延剤は、例えば、ツシラゴ・ファルファラ（Ｔｕｓｓｉｌａｇｏ  ｆａｒｆａｒａ）またはアキレア・ミレフォリウム（Ａｃｈｉｌｌｅａ  ｍｉｌｌｅｆｏｌｉｕｍ）の抽出物、ニコチン酸エステル（ニコチン酸Ｃ３〜Ｃ６アルキル、例えば、ニコチン酸メチルまたはヘキシル、ニコチン酸ベンジル、またはニコチン酸トコフェロールなど）；ビオチン、５α−レダクターゼ阻害剤、抗炎症剤、レチノイド、例えば（限定はされないが）、オールトランスレチノイン酸またはトレチノイン、イソトレチノイン、レチノールまたはビタミンＡ、およびこれらの誘導体、例えば、アセテート、パルミテート、プロピオネート、モトレチニド、エトレチネートおよびトランスレチノイン酸の亜鉛塩；抗菌剤、カルシウムチャネル遮断薬、例えば（限定はされないが）、シンナリジンおよびジルチアゼム；ホルモン、例えば（限定はされないが）、エストリオール、その類似体またはチロキシン、その類似体および／または塩；抗アンドロゲン剤、例えば（限定はされないが）、オキセンドロン、スピロノラクトンまたはジエチルスチルベストロール；抗ラジカル剤、エステル化オリゴ糖、例えば（限定はされないが）、欧州特許第０２１１６１０号明細書および欧州特許第００６４０１２号明細書の文書に記載されるもの；ヘキササッカライド酸（ｈｅｘａｓａｃｃｈａｒｉｄｅ  ａｃｉｄ）の誘導体、例えば（限定はされないが）、グルコース−サッカライド酸または欧州特許第０３７５３８８号明細書の文書に記載されるもの；グルコシダーゼ阻害剤、例えば（限定はされないが）、Ｄ−グルカロ−１，５−ラクタムまたは欧州特許第０３３４５８６号明細書の文書に記載されるもの；グリコサミノグリカナーゼおよびプロテオグリカナーゼ阻害剤、例えば（限定はされないが）、Ｌ−ガラクトノ−１，４−ラクトンまたは欧州特許第０２７７４２８号明細書の文書に記載されるもの；チロシンキナーゼ阻害剤、例えば（限定はされないが）、１−アミド−１−シアノ（３，４−ジヒドロキシフェニル）エチレンまたは欧州特許第０４０３２３８号明細書の文書に記載されるもの、ジアゾキシド、例えば（限定はされないが）、７−（アセチルチオ）−４’，５’−ジヒドロスピロ［アンドロスタ−４−エン−１７，２’−（３Ｈ）フラン］−３−オン、３−メチル−７−クロロ［２Ｈ］−１，２，４−ベンゾチアジアジンの１，１−ジオキシドまたはスピロオキサジン；リン脂質、例えば（限定はされないが）、レシチン；サリチル酸およびその誘導体、ヒドロキシカルボン酸またはケトカルボン酸およびこれらのエステル、ラクトンおよびその塩；とりわけ、アントラリン、エイコセ（ｅｉｃｏｓｅ）−５，８，１１−トリエン酸およびそのエステルまたはアミド、ミノキシジルおよびその誘導体またはこれらの混合物によって形成される群から選択されるが、これらに限定されない。
【００５５】
別の特定の実施形態では、体毛成長の阻害または遅延剤は、例えば、アクチビンまたはアクチビン作用薬、フラボノイド（ケルセチン、クルクミン、ガランギン、フィセチン、ミリセチン、アピゲニンなど）；没食子酸プロピル、ノルジヒドログアヤレチン酸、カフェイン酸、チロシンキナーゼ阻害剤（ラベンダスチン、エルブスタチン、チロホスチン、ベンゾキノン−アンサマイシン  ハービマイシンＡなど）、チアゾリジンジオン、フェナゾシン、２，３−ジヒドロ−２−チオキソ−１Ｈ−インドール−３−アルカン酸、フェノチアジ誘導体（チオリダジンなど）；スフィンゴシンおよびその誘導体、スタウロスポリンおよびその誘導体、グリチルレチン酸、ラウリルイソキノリニウムブロミド、Ｄｅｃｅｌｅｒｉｎｅ（商標）［ＩＮＣＩ：ラウリルイソキノリウムブロミド、シュードアルテロモナス属発酵抽出物］（Ｌｉｐｏｔｅｃにより市販）、またはセリンプロテアーゼ阻害剤、トリプシンおよび／またはこれらの混合物によって形成される群から選択されるが、これらに限定されない。
【００５６】
特定の実施形態では、化粧および／または吸収剤および／または体臭マスキングデオドラントおよび／または制汗剤、芳香物質および／または香油は、例えば、リシノール酸の錯体亜鉛塩、エゴノキ属（Ｓｔｙｒａｘ）、アビオチン酸（ａｂｉｏｔｉｃ  ａｃｉｄ）の誘導体、セージエッセンス、カモミールエッセンス、カーネーションエッセンス、レモンバームエッセンス、ミントエッセンス、シナモンリーフエッセンス、ライムフラワーエッセンス、ジュニパーベリーエッセンス、ベチバーエッセンス、オリバナムエッセンス、ガルバナムエッセンス、ラブダナムエッセンス、ラベンダーエッセンス、ペパーミントエッセンス、ベルガモットオレンジ、ジヒドロミルセノール、リリアール、ライラル（ｌｙｒａｌ）、シトロネロール、レモンエッセンス、マンダリンエッセンス、オレンジエッセンス、ラベンダーエッセンス、マスカット、ゼラニウム・ブルボン（ｇｅｒａｎｉｕｍ  ｂｏｕｒｂｏｎ）エッセンス、アニシード、シラントロ、クミン、ジュニパー、アヤメ、ライラック、バラ、ジャスミン、ビターオレンジブロッサムの抽出物；酢酸ベンジル、酢酸ｐ−ｔｅｒｔ−ブチルシクロヘキシル、酢酸リナリル、酢酸フェニルエチル、エチルメチルフェニルグリシネート、安息香酸リナリル、ギ酸ベンジル、アリルシクロヘキシルプロピオネート、プロピオン酸スチラリル、サリチル酸ベンジル、ベンジルエチルエーテル、８〜１８個の炭素原子を有する線状アルカン、シトラル、リシノール酸、シトロネラール（ｃｉｔｒｏｎｅｌｌａｌ）、シトロネリルオキシアセトアルデヒド、シクラメンアルデヒド、ヒドロキシシトロネラール、ブルゲオナール（ｂｏｕｒｇｅｏｎａｌ）、イオノン、メチルセドリルケトン、アネトール、オイゲノール、イソオイゲノール、ゲラニオール、リナロール、テルピネオール、フェニルエチルアルコール、α−ヘキシルシンナムアルデヒド、ゲラニオール、ベンジルアセトン、シクラメンアルデヒド、Ｂｏｉｓａｍｂｒｅｎｅ  Ｆｏｒｔｅ（登録商標）、アンブロキサン、インドール、ヘディオン、サンデリス（ｓａｎｄｅｌｉｃｅ）、シクロベルタル（ｃｙｃｌｏｖｅｒｔａｌ）、β−ダマスコン、グリコール酸アリルアミル、ジヒドロミルセノール、フェノキシエチルイソブチレート、サリチル酸シクロヘキシル、Ｖｅｒｔｏｆｉｘ  Ｃｏｅｕｒ、Ｉｓｏ−Ｅ−Ｓｕｐｅｒ、Ｆｉｘｏｌｉｄｅ  ＮＰ、Ｅｖｅｒｎｙｌ、フェニル酢酸、酢酸ゲラニル、ロミラト（ｒｏｍｉｌｌａｔ）、イロチル（ｉｒｏｔｙｌ）、フロラメート（ｆｌｏｒａｍａｔｅ）、活性収斂生成物、例えば、塩化アルミニウム、アルミニウムクロロ水和物、アルミニウムジクロロ水和物、アルミニウムセスキクロロ水和物、ヒドロキシアラントイン酸アルミニウム、クロロ酒石酸アルミニウム、アルミニウムおよびジルコニウムトリクロロ水和物、アルミニウムおよびジルコニウムテトラクロロ水和物、アルミニウムおよびジルコニウムペンタクロロ水和物および／またはこれらの混合物によって形成される群から選択されるが、これらに限定されない。
【００５７】
特定の実施形態では、抗酸化剤は、例えば、ブチルヒドロキシトルエン（ＢＨＴ）、ブチルヒドロキシアニソール（ＢＨＡ）、ｔｅｒｔ−ブチルヒドロキノン（ＴＢＨＱ）、２，６，−ジ−ｔｅｒｔ−ブチル−４−メチルフェノール、没食子酸エステル（没食子酸プロピルなど）、プロブコール、ポリフェノール、アスコルビン酸およびその塩、酵素（カタラーゼ、スーパーオキシドジスムターゼおよびペルオキシダーゼなど）；クエン酸、シトレート、モノグリセリドエステル、メタ重硫酸カルシウム（ｃａｌｃｉｕｍ  ｍｅｔａｂｉｓｕｌｆａｔｅ）、乳酸、リンゴ酸、コハク酸、酒石酸、ビタミンＡまたはβ−カロテン、ビタミンＥおよびＣ、トコフェロール（酢酸ビタミンＥなど）、アスコルビン酸エステル（パルミチン酸アスコルビルおよび酢酸アスコルビルなど）、亜鉛、銅、マンニトール、還元型グルタチオン、カロテノイド（クリプトキサンチン、アスタキサンチンおよびリコペンなど）；システイン、尿酸、カルニチン、タウリン、チロシン、ルテイン、ゼアキサンチン、Ｎ−アセチル−システイン、カルノシン、γ−グルタミルシステイン、ケルセチン、ラクトフェリン、ジヒドロリポ酸、茶カテキン、パルミチン酸レチニルおよびその誘導体、重硫酸塩、メタ重亜硫酸塩および亜硫酸ナトリウム、クロマンおよびその類似体、Ｌｉｐｏｃｈｒｏｍａｎ−６［ＩＮＣＩ：ジメチルメトキシクロマノール］、金属のキレート剤（ＥＤＴＡなど）、ソルビトール、リン酸またはｄＧｌｙａｇｅ（商標）［ＩＮＣＩ：リジンＨＣｌ、レシチン、トリペプチド−９シトルリン］；ギンコ・ビローバ（Ｇｉｎｋｇｏ  Ｂｉｌｏｂａ）の抽出物、植物抽出物（セージ、ザクロ、ローズマリー、オレガノ、ショウガ、マジョラム、クランベリー、ブドウ、トマト、緑茶または紅茶など）；オレオレジン抽出物、バニリン、エラグ酸およびリスベラトロールなどのフェノールを含有する植物の抽出物；第３級ブチルヒドロキノンまたはこれらの混合物、価数２を有する金属塩（セレン、カドミウム、バナジウムまたは亜鉛など）；α−リポ酸、補酵素Ｑ、イデベノンまたはこれらの誘導体によって形成される群から選択されるが、これらに限定されない。
【００５８】
特定の実施形態では、汗分解酵素の阻害剤は、例えば、クエン酸トリアルキル（クエン酸トリメチル、クエン酸トリプロピル、クエン酸トリイソプロピル、クエン酸トリブチルまたはクエン酸トリエチルなど）；硫酸またはリン酸ラノステリン、コレステリン、カンペステリン、スチグマステリンおよびシトステリン；ジカルボン酸およびそのエステル（グルタル酸、グルタル酸モノエチル、グルタル酸ジエチル、アジピン酸、アジピン酸モノエチル、アジピン酸ジエチルなど）；マロン酸およびマロン酸ジエチル、ヒドロキシカルボン酸およびそのエステル（リンゴ酸、酒石酸または酒石酸ジエチルなど）、亜鉛グリシネートおよび／またはこれらの混合物によって形成される群から選択されるが、これらに限定されない。
【００５９】
別の特定の実施形態では、紫外線をフィルタリング可能な薬剤は、例えば、紫外線Ａおよび／またはＢに対して活性な有機またはミネラル光防護剤、例えば、置換ベンゾトリアゾール、置換ジフェニルアクリレート、有機ニッケル錯体、ウンベリフェロン、ウロカニン酸、ビフェニル誘導体、スチルベン、３−ベンジリデンカンファー、およびこれらの誘導体（３−（４−メチルベンジリデン）カンファーなど）；４−アミノ安息香酸の誘導体、２−エチルヘキシル４−（ジメチルアミノ）ベンゾエート、２−オクチル４−（ジメチルアミノ）ベンゾエートおよびアミル４−（ジメチルアミノ）ベンゾエート；ケイ皮酸エステル（２−エチルヘキシル４−メトキシシンナメートまたはジエチルアミノヒドロキシベンゾイルヘキシルベンゾエート、プロピル４−メトキシシンナメート、イソアミル４−メトキシシンナメート、２−エチルヘキシル（オクトクリレン）２−シアノ−３，３−フェニルシンナメートなど）；サリチル酸エステル（サリチル酸２−エチルヘキシル、サリチル酸４−イソプロピルベンジル、サリチル酸ホモメンチルなど）；ベンゾフェノン誘導体（２−ヒドロキシ−４−メトキシベンゾフェノン、２−ヒドロキシ−４−メトキシ−４’−メチルベンゾフェノン、２，２’−ジヒドロキシ−４−メトキシベンゾフェノンなど）；ベンザルマロン酸エステル（ジ−２−エチルヘキシル４−メトキシベンザルマロネートなど）；トリアジン誘導体（２，４，６−トリアニリノ、ｐ−カルボ−２’−エチル−１’−ヘキシルオキシ−１，３，５−トリアジン、オクチルトリアゾンまたはジオクチルブタアミドトリアゾンなど）；プロパン−１，３−ジオン（１−（４−ｔｅｒｔ−ブチルフェニル）−３−（４’−メトキシフェニル）プロパン−１，３−ジオンなど）；ケトトリシクロ（５．２．１．０）デカン誘導体；２−フェニルベンゾイミダゾール−５−スルホン酸；ベンゾフェノンスルホン酸誘導体（２−ヒドロキシ−４−メトキシベンゾフェノン−５−スルホン酸およびその塩など）；４−（２−オキソ−３−ボルニリデンメチル）ベンゼンスルホン酸、ベンゾイルメタン誘導体、例えば、ベンゾイルメタン２−メチル−５−（２−オキソ−３−ボルニリデン）スルホン酸、例えば、１−（４’−ｔｅｒｔ−ブチルフェニル）−３−（４’−メトキシフェニル）プロパン−１，３−ジオン、４−ｔｅｒｔ−ブチル−４’−メトキシジベンゾイルメタン、１−フェニル−３−（４’−イソプロピルフェニル）−プロパン−１，３−ジオン、エナミン化合物、アントラニレート、シリコン、ベンゾイミダゾール誘導体、イミダゾリン、ベンゾイル誘導体、Ｃｈｒｏｍａｂｒｉｇｈｔ（商標）［ＩＮＣＩ：ジメチルメトキシクロマニルパルミテート］またはＰｒｅｖｅｎｔｈｅｌｉａ（商標）［ＩＮＣＩ：ジアミノプロピオノイルトリペプチド−３３］（いずれもＬｉｐｏｔｅｃにより市販）、金属酸化物（酸化亜鉛、チタン、鉄、ジルコニウム、ケイ素、マンガン、アルミニウムおよびセリウムなど）；シリケート、タルク、硫酸バリウム、ステアリン酸亜鉛、カーボンナノチューブおよび／またはこれらの混合物によって形成される群から選択されるが、これらに限定されない。
【００６０】
さらに、別の特定の実施形態では、ケラチノサイトの分化を刺激または制御する薬剤は、例えば、ミネラル（カルシウムなど）、レチノイド（レチノールまたはトレチノインなど）、ビタミンＤ３の類似体（カルシトリオール、カルシポトリオールまたはタカルシトールなど）、ルピナス（ルピヌス・アルブス（Ｌｕｐｉｎｕｓ  ａｌｂｕｓ））抽出物（名称Ｓｔｒｕｃｔｕｒｉｎ（登録商標）でＳＩＬＡＢにより市販されるもの［ＩＮＣＩ：加水分解ルピナスタンパク質］など）、β−シトステロール硫酸塩（名称Ｐｈｙｔｏｃｏｈｅｓｉｎｅ  ＰＳＰ（登録商標）でＶｉｎｃｉｅｎｃｅ／ＩＳＰにより市販されるもの［ＩＮＣＩ：β−シトステロール硫酸ナトリウム］など）、トウモロコシ（ゼア・マイス（Ｚｅａ  Ｍａｙｓ））抽出物（名称Ｐｈｙｔｏｖｉｔｙｌ  Ｃ（登録商標）でＳｏｌａｂｉａにより市販されるもの［ＩＮＣＩ：水、ゼア・マイス（Ｚｅａ  Ｍａｙｓ）抽出物］など）、ヘリックス・アスペルサ・ムラー（Ｈｅｌｉｘ  Ａｓｐｅｒｓａ  ｍｕｅｌｌｅｒ）複合糖質および／またはこれらの混合物によって形成される群から選択されるが、これらに限定されない。
【００６１】
同様に、別の特定の実施形態では、筋弛緩剤、筋収縮阻害剤、アセチルコリン受容体のクラスター化の阻害剤および／または抗コリン剤は、例えば、アトロパ・ベラドンナ（Ａｔｒｏｐａ  ｂｅｌｌａｄｏｎｎａ）、ヒヨスチアムス・ニガー（Ｈｙｏｓｃｙａｍｕｓ  ｎｉｇｅｒ）、マンドラゴラ・オフィシナルム（Ｍａｎｄｒａｇｏｒａ  ｏｆｆｉｃｉｎａｒｕｍ）、コンドデンドロン・トメントスム（Ｃｈｏｎｄｏｄｅｎｄｒｏｎ  ｔｏｍｅｎｔｏｓｕｍ）、ブルグマンシア（Ｂｒｕｇｍａｎｓｉａ）属、またはダチュラ（Ｄａｔｕｒａ）属の植物の抽出物、クロストリジウム（Ｃｌｏｓｔｒｉｄｉｕｍ）ボツリヌス毒素、タンパク質ＳＮＡＰ−２５由来のペプチドまたはＩｎｙｌｉｎｅ（商標）［ＩＮＣＩ：アセチルヘキサペプチド−３０］（Ｌｉｐｏｔｅｃにより市販）、バクロフェン、カルビドパ、レボドパ、ブロモクリプチン、クロルフェネシン、クロルゾキサゾン、ドネペジル、メフェノキサロン、レセルピン、テトラベナジン、ダントロレン、チオコルチコシド、チザニジン、クロニジン、プロシクリジン、グリコピロレート、アトロピン、ヒヨスチアミン、ベンズトロピン、スコポラミン、プロメタジン、ジフェンヒドラミン、ジメンヒドリナート、ジサイクロミン、シクロベンザプリン、オルフェナドリン、フラボキサート、シクロペントラート、イプラトロピウム、オキシブチニン、ピレンゼピン、チオトロピウム、トリヘキシフェニジル、トルテロジン、トロピカミド、ソリフェナシン、チオトロピウム、メベベリン、トリメタファン、アトラクリウム、シサトラクリウム、ドキサクリウム、ファザジニウム、メトクリン、ミバクリウム、パンクロニウム、ピペクロニウム、ラパクロニウム、ツボクラニン（ｔｕｂｏｃｕｒａｎｉｎｅ）、ジメチルツボクラニン、ロクロニウム、ベクロニウム、スキサメトニウム、１８−メトキシコロナリジン、カリソプロドール、フェバルバメート、メプロバメート、メトカルバモール（ｍｅｔｏｃａｒｂａｍｏｌ）、フェンプロバメート、チバメート（ｔｉｂａｍａｔｅ）、抗痙攣剤、例えば、とりわけ、レベチラセタム、スチリペントール、フェノバルビタール、メチルフェノバルビタール、ペントバルビタール、メタルビタール、バルベキサクロン、ピリミドン、カルバマゼピン、オクスカルバゼピン、ベンゾジアゼピン、例えば（限定はされないが）、クロナゼパム、クロキサゾラム、クロラゼペート、ジアゼパム、フルトプラゼパム、ロラゼパム、ミダゾラム、ニトラゼパム、ニメタゼパム、フェナゼパム、テマゼパム、テトラゼパムまたはクロバザムによって形成される群から選択されるが、これらに限定されない。
【００６２】
別の特定の実施形態では、活性成分は防虫剤であり、例えば、ＤＥＥＴ（Ｎ，Ｎ−ジエチル−メタ−トルアミド）、エチルヘキサンジオール、ジヒドロネペタラクトンまたはジヒドロネペタラクトン立体異性体の混合物、３−メチルブタナール、２−メチルブタナール、置換ヒドロキシまたはアミノメチルブタナール；バレルアルデヒドおよびｔｒａｎｓ−ペンテナール、フェンバレレート、エスフェンバレレート、１Ｓ，３Ｓ，４Ｓ，６Ｒ−カレン−３，４−ジオール、ジプロピルピリジン−２，５−ジカルボキシレート、ポリテトラフルオロエチレン、ポリフッ化ビニルおよびポリフッ化ビニリデン（ｖｉｎｙｌｉｄｅｎｅ  ｐｏｌｙｆｌｕｏｒｉｄｅ）、ジメチルシロキサン、ポリ塩化ビニル、塩化ビニリデン、フタル酸、フタル酸ジメチル、フタル酸ジブチル、ポリエチレンテレフタレート、インダロン（ブチル−３，３−ジヒドロ−２，２−ジメチル−４−オキソ−２Ｈ−ピラン−６−カルボキシレート）、クルクマ（クルクマ・ロンガ（Ｃｕｒｃｕｍａ  ｌｏｎｇａ））、二環式イリドイドラクトン、イリドミルメシンフェロモン、硫黄、エプソン塩（水和硫酸カルシウム）、除虫菊またはシロバナムシヨケギク（クリサンセマム・シネラリアエフォリウム（Ｃｈｒｙｓａｎｔｈｅｍｕｍ  ｃｉｎｅｒａｒｉａｅｆｏｌｉｕｍ）、レモングラス（シンボポゴン・ナルダス（Ｃｙｍｂｏｐｏｇｏｎ  ｎａｒｄｕｓ））、酢酸リナリル、１−リモネン、シネオール、オイゲノール、酢酸オイゲニル、ピペリジン、例えば、ピカリジンまたはバイレペル（ｂａｙｒｅｐｅｌ）（１−ピペリジンカルボン酸、２−（２−ヒドロキシエチル）−１−メチルプロピルエステル）およびその立体異性体、１−（３−シクロヘキセン−１−イル−カルボニル）−２−メチルピペリジンおよびその立体異性体、またはブチルアセチルアミノプロピオン酸エチル、１−（３−シクロヘキセン−１−イル−カルボニル）ピペリジン、イソイリドミルメシン、２，３，４，５−ビス（２−ブチレン）テトラヒドロフルフラール、グリコールブトキシポリプロピレン、Ｎ−ブチルアセトアニリド、アジピン酸ジブチル、コハク酸ジ−ｎ−ブチル、ジメチルカルベート（エンド、エンド）−ジメチル−ビシクロ［２．２．１］ヘプタ−５−エン−２，３−ジカルボキシレート、２−エチル−２−ブチル−１，３−プロパンジオール、２−エチル−１，３−ヘキサンジオール、イソシンコメロン酸プロピル、２−フェニルシクロヘキサノール、ノルマル−プロピルＮ，Ｎ−ジエチルスクシンアマート、ブチルメシチルオキシドオキサラート、２−エチル−１，３−ヘキサンジオール、Ｎ，Ｎ−ジエチルベンズアミド、ｐ−メタン−３，８−ジオール、Ｎ，Ｎ−ジエチルマンデルアミド、イソプレゴール水和物、エチル−３−［Ｎ−ｎ−ブチル−Ｎ−アセチル］アミノプロピオネート、アジピン酸ジイソプロピル、α−ビアサバール（ｂｉａｓａｂａｌ）、ベンジルアルコール、Ｎ，Ｎ−ジエチルフェニルアセトアミド、ビタミンＥ、３−アセチル−２−（２，６−ジメチル−５−ヘプテニル）オキサゾリジン（２−ヒドロキシメチルシクロヘキシル）酢酸ラクトン、テフルトリン、ペルメトリン、シペルメトリン、シハロトリン、λ−シハロトリン、ビフェントリン、デルタメトリン、アチオーテ（ａｃｈｉｏｔｅ）またはアナトー（ａｎｎａｔｔｏ）油（ビクサ・オレラナ（Ｂｉｘａ  ｏｒｅｌｌａｎａ））、レモンの葉および果実（シトラス・メディカ（Ｃｉｔｒｕｓ  ｍｅｄｉｃａ））、ビターアーモンド油、アニス油、バジル油、ローレル油、キャラウェー種子油、カルダモン油、シダー油、セロリ油、カモミール油、スペアミント油、シナモン油、シトロネラ油、クローブ油、シラントロ油、クミン油、ディル油、ユーカリ油、フェンネル油、ショウガ油、ブドウ油、レモン油、ミント油、パセリ油、イヌハッカ油、コショウ油、ローズ油、ミント油（メントール）、スィートオレンジ油、ココナッツ油、シダー油、ゲラニオール、ゼラニウム油、タイム油およびクルクマ油によって形成される群から選択されるが、これらに限定されない。
【００６３】
本発明の方法の第１のステップにおいて使用されるコロイドが親水性であることは既に記載されており、これらを溶解させるために、溶媒も、既に記載されているように水または水溶液などの親水性でなければならない。活性成分（単数または複数）は、本発明の方法のステップａ）において記載されるように、この溶媒中に懸濁されなければならない。しかしながら、本発明は、親水性溶媒中に懸濁される親油性の活性成分に限定されない。特定の実施形態において、親水性活性成分の場合、活性成分は油中水エマルジョン（Ｗ／Ｏエマルジョン）中に乳化され、ステップａ）において懸濁される。別の特定の実施形態では、活性成分を含有するこのＷ／Ｏエマルジョンは次に固体脂質ナノ粒子（ＳＬＮ）またはナノ構造脂質担体（ＮＬＣ）中に含有され、本発明の方法のステップａ）において懸濁される。
【００６４】
本発明の第２の態様は、本発明の方法に従って得られる繊維および／またはテキスタイル材料に関する。本発明では、テキスタイル材料は、織布、不織布、衣類および医療デバイスであると理解される。テキスタイル材料の中で、好ましい織布、不織布、衣類および医療デバイスは、包帯、ガーゼ、Ｔシャツ、ソックス、タイツ、下着、ガードル、手袋、おむつ、サニタリーナプキン、包帯材、ベッドカバー、ワイプ、ヒドロゲル、接着パッチ、非接着パッチ、マイクロエレクトリックパッチおよび／またはフェイスマスクである。
【００６５】
本発明の第３の態様は、本発明の方法に従って得られる繊維および／またはテキスタイル材料の、皮膚、毛髪および／または頭皮の処置および／または手入れのための使用に関する。好ましくは、皮膚、毛髪および／または頭皮の処置および／または手入れは、皮膚老化の処置および／または予防、皮膚および／または頭皮の治癒、皮膚疾患の皮膚科学的処置、蜂巣炎の処置および／または予防、皮膚のタンニング、色を明るくすることまたは皮膚の漂白、ならびに脱毛の処置および／または予防によって形成される群から選択される。
【００６６】
本発明との関連では、「老化」という用語は、年齢とともに（経時老化）、あるいは日光への暴露によって（光老化）、あるいはたばこの煙などの環境作用物質、寒気もしくは風の極度の気候条件、化学汚染物質または環境汚染への暴露によって皮膚が経験する変化に関し、外側の目に見える変化および手で触ることにより顕著な変化、例えば（限定はされないが）、皮膚の不連続性（しわ、小じわ、深いしわ、凹凸または粗さなど）の発生、毛穴のサイズの増大、弾性の損失、堅さの損失、滑らかさの損失、変形からの回復能力の損失、皮膚のたるみ（特に、たるんだ頬、目の下のくまの出現、または二重顎の出現など）、皮膚の変色（特に、斑点、発赤、目の下のくま、色素過剰領域の出現、例えば、しみまたはそばかすなど）、異常分化、過剰な角質化、弾力線維症、角化症、脱毛、オレンジピールスキン、コラーゲン構造の損失、そして、特に角質層、真皮、上皮、脈管系（例えば、くも状静脈または毛細血管拡張の出現）または皮膚に近い組織の他の組織学的変化を全て含む。
【００６７】
本明細書において提供される以下の特定の実施例は、本発明の本質を説明するのに役立つ。これらの実施例は説明的な目的のためだけに含まれており、本明細書において請求される本発明に対する限定であると解釈されてはならない。
【実施例】
【００６８】
一般的方法
試薬および溶媒は全て合成品質であり、付加的な処理を行わずに使用される。
【００６９】
実施例１
ポリクオタニウム−１６と共にＣｈｒｏｍａｂｒｉｇｈｔ（商標）を含有するカチオン化マイクロカプセルの獲得
カルボキシメチルセルロースを水中に溶解させた（相Ｂ）。次に、ゼラチンを攪拌しながら１５分間水中に溶解させ（相Ａ）、相Ａを沸点まで上昇させた。槽を７５℃で挿入し、相Ｂを相Ａに添加し、温度が６０℃よりも低くならないことと、混合物のｐＨが５〜５．５の間であることを確実にした。相Ｃの成分を最大限に攪拌しながら６０℃よりも高い温度で添加した。相Ｄの成分を用いて、ｐＨを、約４．４３になるまで非常にゆっくり低下させた。これを３０分間攪拌し、ｐＨを測定した（４．４２）。混合物を２時間攪拌しながら冷却させ、途中でｐＨを測定し（４．５５）、相Ｄの成分を用いて４．４４に調整した。相Ｅの成分を添加してｐＨを７．５に上昇させた後、相Ｆの成分（希釈した架橋剤）を添加し、一晩中攪拌した。翌日、カチオン性ポリマーとしてＧを添加し、３時間攪拌した。
2013527328.tif 000003
【００７０】
実施例２
ポリクオタニウム−１６と共にＩｎｙｌｉｎｅ（商標）を含有するカチオン化マイクロカプセルの獲得
最初に、Ｉｎｙｌｉｎｅ（商標）［ＩＮＣＩ：アセチルヘキサペプチド−３０］を水およびアルコール中に溶解させた（相Ｃ）。相Ｃを攪拌しながら相Ｄに少しずつ添加した。これらの２つの相を一緒に大豆油（相Ｅ）に添加した。その後、カルボキシメチルセルロースを水中に溶解させた（相Ｂ）。次に、ゼラチンを水中に溶解させ（相Ａ）、１５分間攪拌し、相Ａを沸点まで上昇させた。槽を７５℃で挿入し、相Ｂを相Ａに添加し、温度が６０℃よりも低くならないことと、混合物のｐＨが５〜５．５の間であることを確実にした。相Ｃ、ＤおよびＥの混合物を最大限に攪拌しながら６０℃よりも高い温度で添加した。相Ｆの成分を用いて、ｐＨを、約４．４３になるまで非常にゆっくり低下させた。これを３０分間攪拌し、ｐＨを測定した（４．３９）。混合物を攪拌しながら室温まで冷却させた。相Ｇの成分を添加してｐＨを７に上昇させた後、相Ｈの成分（希釈した架橋剤）を添加し、一晩中攪拌した。翌日、カチオン性ポリマーとしてＩを添加し、３時間攪拌した。
2013527328.tif 000004
【００７１】
実施例３
ポリクオタニウム−１６と共にＡｒｇｉｒｅｌｉｎｅ（登録商標）を含有するカチオン化マイクロカプセルの獲得
実施例２と同じ方法であるが、Ｉｎｙｌｉｎｅ（商標）［ＩＮＣＩ：アセチルヘキサペプチド−３０］をＡｒｇｉｒｅｌｉｎｅ（登録商標）［ＩＮＣＩ：アセチルヘキサペプチド−３］に置き換えて、Ａｒｇｉｒｅｌｉｎｅ（登録商標）［ＩＮＣＩ：アセチルヘキサペプチド−３］マイクロカプセルを調製した。
2013527328.tif 000005
【００７２】
実施例４
ポリクオタニウム−１６と共にＡｎｔａｒｃｔｉｃｉｎｅ（登録商標）および酢酸ビタミンＥを含有するカチオン化マイクロカプセルの獲得
実施例１と同じ方法であるが、Ｃｈｒｏｍａｂｒｉｇｈｔ（商標）の代わりにＡｎｔａｒｃｔｉｃｉｎｅ（登録商標）［ＩＮＣＩ：シュードアルテロモナス属発酵抽出物］および酢酸ビタミンＥを用いて、マイクロカプセルを調製した。
2013527328.tif 000006
【００７３】
実施例５
Ａｎｔａｒｃｔｉｃｉｎｅ（登録商標）および酢酸ビタミンＥを含有するテキスタイル材料、ならびに数回洗浄した後の酢酸ビタミンＥの品質の決定
実施例４からのマイクロカプセルを結合させた。実施例４からのマイクロカプセルのテキスタイル材料に対する連結または結合は、吸尽槽によって行った。標準ＵＮＥ−ＥＮ  ＩＳＯ６３３０に従って槽に入れた後、テキスタイル材料を吊り下げて乾燥させた。
【００７４】
上記のテキスタイル材料に結合されたマイクロカプセルの耐洗浄性を試験するために、標準ＩＳＯ  Ｉ０５  ＣＯ６に従って攪拌しながらテキスタイル材料を洗剤溶液で処理した。各洗浄の後に、標準ＵＮＥ−ＥＮ  ＩＳＯ６３３０に従って、テキスタイル材料を吊り下げて乾燥させた。テキスタイル材料に連結されたマイクロカプセルの品質の決定は、ＨＰＬＣ（カラム：Ｃ１８  Ｎｕｃｌｅｏｓｉｌ  １００Ａ、５μｍ、２５０×４．６ｍｍ、水およびメタノール移動相、流速０．７ｍＬ／分、検出２９０ｎｍ）によりテキスタイル材料中に存在する活性成分の品質を決定して行った。槽に入れた後および数回の洗浄後のテキスタイル材料に結合された活性成分の品質は、超音波処理により酢酸ビタミンＥをテキスタイル材料から１０分間抽出した後に決定した。外側の相をろ過し（０．４５μｍ）、ＨＰＬＣ−ＵＶ／ＶＩＳ検出器によって分析した。５回の洗浄後にテキスタイル材料中に存在する酢酸ビタミンＥの百分率は、最初に結合されたビタミンＥの百分率に関して、平均６６％であった。
【００７５】
実施例６
Ａｎｔａｒｃｔｉｃｉｎｅ（登録商標）および酢酸ビタミンＥを含有するテキスタイル材料、ならびに数回洗浄した後の酢酸ビタミンＥの品質の決定
実施例４からのカチオン性マイクロカプセルを結合させた。実施例４からのマイクロカプセルのテキスタイル材料に対する連結または結合は、フーラード法によって行った（圧力１バール、１５０℃で２分間結合、１０００ｌの槽につき９１４ｇの実施例４からのマイクロカプセル）。テキスタイル材料を１５０℃で２分間乾燥させた。
【００７６】
上記のテキスタイル材料に結合されたマイクロカプセルの耐洗浄性を試験するために、標準ＩＳＯ  Ｉ０５  ＣＯ６に従って攪拌しながらテキスタイル材料を洗剤溶液で処理した。各洗浄の後に、標準ＵＮＥ−ＥＮ  ＩＳＯ６３３０に従って、テキスタイル材料を吊り下げて乾燥させた。テキスタイル材料に連結されたマイクロカプセルの品質の決定は、ＨＰＬＣ（カラム：Ｃ１８  Ｎｕｃｌｅｏｓｉｌ  １００Ａ、５μｍ、２５０×４．６ｍｍ、水およびメタノール移動相、流速０．７ｍＬ／分、検出２９０ｎｍ）によりテキスタイル材料中に存在する活性成分の品質を決定して行った。槽に入れた後および数回の洗浄後のテキスタイル材料に結合された活性成分の品質は、超音波処理により酢酸ビタミンＥをテキスタイル材料から１０分間抽出した後に決定した。外側の相をろ過し（０．４５μｍ）、ＨＰＬＣ−ＵＶ／ＶＩＳ検出器によって分析した。最初に結合されたビタミンＥの百分率に関して存在する酢酸ビタミンＥの百分率は、以下の表に示される。
2013527328.tif 000007
【００７７】
テキスタイル材料に連結されたマイクロカプセルの存在は、走査電子顕微鏡法によって検査した（図１を参照）。このために、種々のテキスタイル材料をデシケータ内で４８時間脱水し、純金ラミネート（２００Å）でコーティングした。使用した顕微鏡は、バルセロナ大学のＳｃｉｅｎｔｉｆｉｃ−Ｔｅｃｈｎｉｃａｌ  Ｓｅｒｖｉｃｅｓによって所有される１０ｋＶにおけるＦＥＩ  Ｑｕａｎｔａ−２００（ＦＥＩ  Ｃｏｍｐａｎｙ，Ｎｏｒｔｈ  Ａｍｅｒｉｃａ）であった。
【図１ａ）】
2013527328.tif 000008
【図１ｂ）】
2013527328.tif 000009
【図１ｃ）】
2013527328.tif 000010
【図１ｄ）】
2013527328.tif 000011
【図１ｅ）】
2013527328.tif 000012
【図１ｆ）】
2013527328.tif 000013
【国際調査報告】
2013527328.tif 000014
2013527328.tif 000015